(57)【要約】  ワイヤレス通信のための方法、システム、およびデバイスが説明される。いくつかのワイヤレス通信システムでは、デバイスは、ダウンリンク送信のためにキャリアアグリゲーションおよび短縮された送信時間間隔（ｓＴＴＩ）をインプリメントし得る。低減されたフィードバックレイテンシと共に、ダウンリンクスループットを改善するために、システムは、修正されたハイブリッド自動再送要求（ＨＡＲＱ）タイムラインをインプリメントし得る。例えば、基地局は、第２のアップリンクコンポーネントキャリアのためのｓＴＴＩより長いダウンリンクのためのＴＴＩまたはｓＴＴＩを用いて、第１のコンポーネントキャリアを構成し得る。基地局およびユーザ機器（ＵＥ）は、第２のコンポーネントキャリアのためのより短いｓＴＴＩに基づく、第１のコンポーネントキャリアのためのＨＡＲＱタイミングを使用して動作し得る。基地局は、より大きいキャリアアグリゲーションのために、より長いＴＴＩまたはｓＴＴＩを使用してダウンリンク送信を送信し得、ＵＥは、低減されたレイテンシのために、ＨＡＲＱタイミングに従って、応答においてダウンリンクＨＡＲＱ確認応答（ＡＣＫ）メッセージを送り得る。【選択図】図４
2021507631.tif 000002
【特許請求の範囲】
【請求項１】
ワイヤレス通信のための方法であって、
ダウンリンク送信に関連付けられかつ第１の送信時間間隔（ＴＴＩ）または短縮されたＴＴＩ（ｓＴＴＩ）を用いて構成された第１のコンポーネントキャリアのためのハイブリッド自動再送要求（ＨＡＲＱ）タイミングを識別すること、前記第１のコンポーネントキャリアのための前記ＨＡＲＱタイミングは、アップリンク送信に関連付けられた第２のコンポーネントキャリアのために構成された第２のｓＴＴＩに少なくとも部分的に基づき、ここにおいて、前記第２のｓＴＴＩは、前記第１のＴＴＩまたはｓＴＴＩより短い、と、
前記第１のＴＴＩまたはｓＴＴＩを使用して、前記第１のコンポーネントキャリア上でダウンリンク送信を受信することと、
前記識別されたＨＡＲＱタイミングに従って、前記ダウンリンク送信に対応するダウンリンクＨＡＲＱ肯定応答または否定応答（ＡＣＫ／ＮＡＣＫ）メッセージを送信することと
を備える方法。
【請求項２】
前記第１のコンポーネントキャリアのための前記ＨＡＲＱタイミングを識別することは、
前記第１のコンポーネントキャリア上で前記ＨＡＲＱタイミングのインジケーションを受信すること
を備える、請求項１に記載の方法。
【請求項３】
１つまたは複数のユーザ機器（ＵＥ）能力のインジケーションを送信すること、ここにおいて、前記ＨＡＲＱタイミングは、前記１つまたは複数のＵＥ能力に少なくとも部分的にさらに基づく、
をさらに備える、請求項１に記載の方法。
【請求項４】
前記１つまたは複数のＵＥ能力は、トランスポートブロックサイズ（ＴＢＳ）、レイヤの数、基準信号タイプ、物理ダウンリンク制御チャネル（ＰＤＣＣＨ）送信持続時間、ｓＴＴＩ  ＰＤＣＣＨ送信持続時間、ブラインド復号の数、前記ＰＤＣＣＨまたは前記ｓＴＴＩ  ＰＤＣＣＨのための探索空間サイズ、またはこれらの組合せを備える、請求項３に記載の方法。
【請求項５】
前記１つまたは複数のＵＥ能力は、前記ダウンリンクＨＡＲＱ  ＡＣＫ／ＮＡＣＫメッセージを送信するＵＥに対応し、前記方法は、
前記第１のＴＴＩまたはｓＴＴＩを用いて構成されたコンポーネントキャリアの数、前記ＵＥのために構成されたコンポーネントキャリアの総数、またはこれらの組合せを決定すること、ここにおいて、前記１つまたは複数のＵＥ能力の前記インジケーションは、前記第１のＴＴＩまたはｓＴＴＩを用いて構成されたコンポーネントキャリアの前記数、前記ＵＥのために構成されたコンポーネントキャリアの前記総数、またはこれらの前記組合せに少なくとも部分的に基づく、
をさらに備える、請求項３に記載の方法。
【請求項６】
前記第２のｓＴＴＩ、前記１つまたは複数のＵＥ能力、またはこれらの組合せに少なくとも部分的に基づいて、最大タイミングアドバンス（ＴＡ）を決定すること
をさらに備える、請求項３に記載の方法。
【請求項７】
前記ダウンリンクＨＡＲＱ  ＡＣＫ／ＮＡＣＫメッセージは、前記第２のｓＴＴＩを使用して、前記第２のコンポーネントキャリア上で送信される、請求項１に記載の方法。
【請求項８】
前記第１のコンポーネントキャリアおよび前記第２のコンポーネントキャリアは、同じＰＵＣＣＨグループに対応する、請求項１に記載の方法。
【請求項９】
前記第１のコンポーネントキャリアは、時分割複信（ＴＤＤ）モード、ライセンス支援型アクセス（ＬＡＡ）モード、拡張ＬＡＡ（ｅＬＡＡ）モード、またはこれらの組合せで構成される、請求項１に記載の方法。
【請求項１０】
前記第１のコンポーネントキャリアまたは前記第２のコンポーネントキャリアは、周波数分割複信（ＦＤＤ）モードで構成される、請求項１に記載の方法。
【請求項１１】
前記第１のＴＴＩまたはｓＴＴＩは、７個の直交周波数分割多重（ＯＦＤＭ）シンボルに及ぶｓＴＴＩを備える、請求項１に記載の方法。
【請求項１２】
前記第１のＴＴＩまたはｓＴＴＩは、１４個の直交周波数分割多重（ＯＦＤＭ）シンボルに及ぶＴＴＩを備える、請求項１に記載の方法。
【請求項１３】
前記ＴＴＩは、２つのスロットに分割され、前記ダウンリンク送信は、前記２つのスロットの各々にわたって受信される、請求項１２に記載の方法。
【請求項１４】
前記第２のｓＴＴＩは、２個または３個の直交周波数分割多重（ＯＦＤＭ）シンボルに及ぶ、請求項１に記載の方法。
【請求項１５】
前記第１のコンポーネントキャリアは、セカンダリセル（ＳＣｅｌｌ）コンポーネントキャリアを備え、
前記第２のコンポーネントキャリアは、プライマリセル（ＰＣｅｌｌ）コンポーネントキャリアまたは物理アップリンク制御チャネルＳＣｅｌｌ（ＰＳＣｅｌｌ）コンポーネントキャリアを備える、
請求項１に記載の方法。
【請求項１６】
ワイヤレス通信のための方法であって、
ダウンリンク送信のための第１の送信時間間隔（ＴＴＩ）または短縮されたＴＴＩ（ｓＴＴＩ）を用いて第１のコンポーネントキャリアを、およびアップリンク送信のための第２のｓＴＴＩを用いて第２のコンポーネントキャリアを構成すること、ここにおいて、前記第２のｓＴＴＩは、前記第１のＴＴＩまたはｓＴＴＩより短い、と、
前記第２のコンポーネントキャリアのために構成された前記第２のｓＴＴＩに少なくとも部分的に基づいて、ダウンリンク送信に関連付けられかつ前記第１のコンポーネントキャリアのためのハイブリッド自動再送要求（ＨＡＲＱ）タイミングを識別することと、
前記第１のＴＴＩまたはｓＴＴＩを使用して、前記第１のコンポーネントキャリア上でダウンリンク送信を実行することと、
前記識別されたＨＡＲＱタイミングに従って、前記ダウンリンク送信に対応するダウンリンクＨＡＲＱ肯定応答または否定応答（ＡＣＫ／ＮＡＣＫ）メッセージを受信することと
を備える方法。
【請求項１７】
前記第１のコンポーネントキャリア上で前記ＨＡＲＱタイミングのインジケーションを送信すること
をさらに備える、請求項１６に記載の方法。
【請求項１８】
１つまたは複数のユーザ機器（ＵＥ）能力を識別すること、ここにおいて、前記ＨＡＲＱタイミングを識別することは、前記１つまたは複数のＵＥ能力に少なくとも部分的にさらに基づく、
をさらに備える、請求項１６に記載の方法。
【請求項１９】
前記１つまたは複数のＵＥ能力は、トランスポートブロックサイズ（ＴＢＳ）、レイヤの数、基準信号タイプ、物理ダウンリンク制御チャネル（ＰＤＣＣＨ）送信持続時間、ｓＴＴＩ  ＰＤＣＣＨ送信持続時間、ブラインド復号の数、前記ＰＤＣＣＨまたは前記ｓＴＴＩ  ＰＤＣＣＨのための探索空間サイズ、またはこれらの組合せを備える、請求項１８に記載の方法。
【請求項２０】
前記１つまたは複数のＵＥ能力は、前記ダウンリンクＨＡＲＱ  ＡＣＫ／ＮＡＣＫメッセージを送信するＵＥに対応し、
前記１つまたは複数のＵＥ能力は、前記第１のＴＴＩまたはｓＴＴＩを用いて構成されたコンポーネントキャリアの数、前記ＵＥのために構成されたコンポーネントキャリアの総数、またはこれらの組合せに少なくとも部分的に基づく、
請求項１８に記載の方法。
【請求項２１】
前記１つまたは複数のＵＥ能力を識別することは、
前記１つまたは複数のＵＥ能力のインジケーションを受信すること
を備える、請求項１８に記載の方法。
【請求項２２】
前記ダウンリンクＨＡＲＱ  ＡＣＫ／ＮＡＣＫメッセージは、前記第２のｓＴＴＩを使用して、前記第２のコンポーネントキャリア上で受信される、請求項１６に記載の方法。
【請求項２３】
前記第１のコンポーネントキャリアおよび前記第２のコンポーネントキャリアは、同じＰＵＣＣＨグループに対応する、請求項１６に記載の方法。
【請求項２４】
時分割複信（ＴＤＤ）モード、ライセンス支援型アクセス（ＬＡＡ）モード、拡張ＬＡＡ（ｅＬＡＡ）モード、またはこれらの組合せで、前記第１のコンポーネントキャリアを構成すること
をさらに備える、請求項１６に記載の方法。
【請求項２５】
周波数分割複信（ＦＤＤ）モードで、前記第１のコンポーネントキャリアまたは前記第２のコンポーネントキャリアを構成すること
をさらに備える、請求項１６に記載の方法。
【請求項２６】
前記第１のＴＴＩまたはｓＴＴＩは、７個の直交周波数分割多重（ＯＦＤＭ）シンボルに及ぶｓＴＴＩを備える、請求項１６に記載の方法。
【請求項２７】
前記第１のＴＴＩまたはｓＴＴＩは、１４個の直交周波数分割多重（ＯＦＤＭ）シンボルに及ぶＴＴＩを備える、請求項１６に記載の方法。
【請求項２８】
前記ＴＴＩを２つのスロットに分割すること、ここにおいて、前記ダウンリンク送信は、前記２つのスロットの各々にわたって実行される、
をさらに備える、請求項２７に記載の方法。
【請求項２９】
前記第２のｓＴＴＩは、２個または３個の直交周波数分割多重（ＯＦＤＭ）シンボルに及ぶ、請求項１６に記載の方法。
【請求項３０】
前記第１のコンポーネントキャリアは、セカンダリセル（ＳＣｅｌｌ）コンポーネントキャリアを備え、
前記第２のコンポーネントキャリアは、プライマリセル（ＰＣｅｌｌ）コンポーネントキャリアまたは物理アップリンク制御チャネルＳＣｅｌｌ（ＰＳＣｅｌｌ）コンポーネントキャリアを備える、
請求項１６に記載の方法。
【請求項３１】
ワイヤレス通信のための装置であって、
ダウンリンク送信に関連付けられかつ第１の送信時間間隔（ＴＴＩ）または短縮されたＴＴＩ（ｓＴＴＩ）を用いて構成された第１のコンポーネントキャリアのためのハイブリッド自動再送要求（ＨＡＲＱ）タイミングを識別するための手段、前記第１のコンポーネントキャリアのための前記ＨＡＲＱタイミングは、アップリンク送信に関連付けられた第２のコンポーネントキャリアのために構成された第２のｓＴＴＩに少なくとも部分的に基づき、ここにおいて、前記第２のｓＴＴＩは、前記第１のＴＴＩまたはｓＴＴＩより短い、と、
前記第１のＴＴＩまたはｓＴＴＩを使用して、前記第１のコンポーネントキャリア上でダウンリンク送信を受信するための手段と、
前記識別されたＨＡＲＱタイミングに従って、前記ダウンリンク送信に対応するダウンリンクＨＡＲＱ肯定応答または否定応答（ＡＣＫ／ＮＡＣＫ）メッセージを送信するための手段と
を備える装置。
【請求項３２】
ワイヤレス通信のための装置であって、
ダウンリンク送信のための第１の送信時間間隔（ＴＴＩ）または短縮されたＴＴＩ（ｓＴＴＩ）を用いて第１のコンポーネントキャリアを、およびアップリンク送信のための第２のｓＴＴＩを用いて第２のコンポーネントキャリアを構成するための手段、ここにおいて、前記第２のｓＴＴＩは、前記第１のＴＴＩまたはｓＴＴＩより短い、と、
前記第２のコンポーネントキャリアのために構成された前記第２のｓＴＴＩに少なくとも部分的に基づいて、ダウンリンク送信に関連付けられかつ前記第１のコンポーネントキャリアのためのハイブリッド自動再送要求（ＨＡＲＱ）タイミングを識別するための手段と、
前記第１のＴＴＩまたはｓＴＴＩを使用して、前記第１のコンポーネントキャリア上でダウンリンク送信を実行するための手段と、
前記識別されたＨＡＲＱタイミングに従って、前記ダウンリンク送信に対応するダウンリンクＨＡＲＱ肯定応答または否定応答（ＡＣＫ／ＮＡＣＫ）メッセージを受信するための手段と
を備える装置。
【請求項３３】
ワイヤレス通信のための装置であって、
プロセッサと、
前記プロセッサと電子通信状態にあるメモリと、
前記装置に、
ダウンリンク送信に関連付けられかつ第１の送信時間間隔（ＴＴＩ）または短縮されたＴＴＩ（ｓＴＴＩ）を用いて構成された第１のコンポーネントキャリアのためのハイブリッド自動再送要求（ＨＡＲＱ）タイミングを識別すること、前記第１のコンポーネントキャリアのための前記ＨＡＲＱタイミングは、アップリンク送信に関連付けられた第２のコンポーネントキャリアのために構成された第２のｓＴＴＩに少なくとも部分的に基づき、ここにおいて、前記第２のｓＴＴＩは、前記第１のＴＴＩまたはｓＴＴＩより短い、と、
前記第１のＴＴＩまたはｓＴＴＩを使用して、前記第１のコンポーネントキャリア上でダウンリンク送信を受信することと、
前記識別されたＨＡＲＱタイミングに従って、前記ダウンリンク送信に対応するダウンリンクＨＡＲＱ肯定応答または否定応答（ＡＣＫ／ＮＡＣＫ）メッセージを送信することと
を行わせるように、前記プロセッサによって実行可能でありかつ前記メモリに記憶された命令と
を備える装置。
【請求項３４】
前記第１のコンポーネントキャリアのための前記ＨＡＲＱタイミングを識別するための前記命令は、前記装置に、
前記第１のコンポーネントキャリア上で前記ＨＡＲＱタイミングのインジケーションを受信すること
を行わせるように、前記プロセッサによって実行可能である、請求項３３に記載の装置。
【請求項３５】
前記命令は、前記装置に、
１つまたは複数のユーザ機器（ＵＥ）能力のインジケーションを送信すること、ここにおいて、前記ＨＡＲＱタイミングは、前記１つまたは複数のＵＥ能力に少なくとも部分的にさらに基づく、
を行わせるように、前記プロセッサによってさらに実行可能である、請求項３３に記載の装置。
【請求項３６】
前記１つまたは複数のＵＥ能力は、トランスポートブロックサイズ（ＴＢＳ）、レイヤの数、基準信号タイプ、物理ダウンリンク制御チャネル（ＰＤＣＣＨ）送信持続時間、ｓＴＴＩ  ＰＤＣＣＨ送信持続時間、ブラインド復号の数、前記ＰＤＣＣＨまたは前記ｓＴＴＩ  ＰＤＣＣＨのための探索空間サイズ、またはこれらの組合せを備える、請求項３５に記載の装置。
【請求項３７】
前記１つまたは複数のＵＥ能力は、前記ダウンリンクＨＡＲＱ  ＡＣＫ／ＮＡＣＫメッセージを送信するＵＥに対応し、前記命令は、前記装置に、
前記第１のＴＴＩまたはｓＴＴＩを用いて構成されたコンポーネントキャリアの数、前記ＵＥのために構成されたコンポーネントキャリアの総数、またはこれらの組合せを決定すること、ここにおいて、前記１つまたは複数のＵＥ能力の前記インジケーションは、前記第１のＴＴＩまたはｓＴＴＩを用いて構成されたコンポーネントキャリアの前記数、前記ＵＥのために構成されたコンポーネントキャリアの前記総数、またはこれらの前記組合せに少なくとも部分的に基づく、
を行わせるように、前記プロセッサによってさらに実行可能である、請求項３５に記載の装置。
【請求項３８】
前記命令は、前記装置に、
前記第２のｓＴＴＩ、前記１つまたは複数のＵＥ能力、またはこれらの組合せに少なくとも部分的に基づいて、最大タイミングアドバンス（ＴＡ）を決定すること
を行わせるように、前記プロセッサによってさらに実行可能である、請求項３５に記載の装置。
【請求項３９】
前記ダウンリンクＨＡＲＱ  ＡＣＫ／ＮＡＣＫメッセージは、前記第２のｓＴＴＩを使用して、前記第２のコンポーネントキャリア上で送信される、請求項３３に記載の装置。
【請求項４０】
前記第１のコンポーネントキャリアおよび前記第２のコンポーネントキャリアは、同じＰＵＣＣＨグループに対応する、請求項３３に記載の装置。
【請求項４１】
前記第１のコンポーネントキャリアは、時分割複信（ＴＤＤ）モード、ライセンス支援型アクセス（ＬＡＡ）モード、拡張ＬＡＡ（ｅＬＡＡ）モード、またはこれらの組合せで構成される、請求項３３に記載の装置。
【請求項４２】
前記第１のコンポーネントキャリアまたは前記第２のコンポーネントキャリアは、周波数分割複信（ＦＤＤ）モードで構成される、請求項３３に記載の装置。
【請求項４３】
前記第１のＴＴＩまたはｓＴＴＩは、７個の直交周波数分割多重（ＯＦＤＭ）シンボルに及ぶｓＴＴＩを備える、請求項３３に記載の装置。
【請求項４４】
前記第１のＴＴＩまたはｓＴＴＩは、１４個の直交周波数分割多重（ＯＦＤＭ）シンボルに及ぶＴＴＩを備える、請求項３３に記載の装置。
【請求項４５】
前記ＴＴＩは、２つのスロットに分割され、前記ダウンリンク送信は、前記２つのスロットの各々にわたって受信される、請求項４４に記載の装置。
【請求項４６】
前記第２のｓＴＴＩは、２個または３個の直交周波数分割多重（ＯＦＤＭ）シンボルに及ぶ、請求項３３に記載の装置。
【請求項４７】
前記第１のコンポーネントキャリアは、セカンダリセル（ＳＣｅｌｌ）コンポーネントキャリアを備え、
前記第２のコンポーネントキャリアは、プライマリセル（ＰＣｅｌｌ）コンポーネントキャリアまたは物理アップリンク制御チャネルＳＣｅｌｌ（ＰＳＣｅｌｌ）コンポーネントキャリアを備える、
請求項３３に記載の装置。
【請求項４８】
ワイヤレス通信のための装置であって、
プロセッサと、
前記プロセッサと電子通信状態にあるメモリと、
前記装置に、
ダウンリンク送信のための第１の送信時間間隔（ＴＴＩ）または短縮されたＴＴＩ（ｓＴＴＩ）を用いて第１のコンポーネントキャリアを、およびアップリンク送信のための第２のｓＴＴＩを用いて第２のコンポーネントキャリアを構成すること、ここにおいて、前記第２のｓＴＴＩは、前記第１のＴＴＩまたはｓＴＴＩより短い、と、
前記第２のコンポーネントキャリアのために構成された前記第２のｓＴＴＩに少なくとも部分的に基づいて、ダウンリンク送信に関連付けられかつ前記第１のコンポーネントキャリアのためのハイブリッド自動再送要求（ＨＡＲＱ）タイミングを識別することと、
前記第１のＴＴＩまたはｓＴＴＩを使用して、前記第１のコンポーネントキャリア上でダウンリンク送信を実行することと、
前記識別されたＨＡＲＱタイミングに従って、前記ダウンリンク送信に対応するダウンリンクＨＡＲＱ肯定応答または否定応答（ＡＣＫ／ＮＡＣＫ）メッセージを受信することと
を行わせるように、前記プロセッサによって実行可能でありかつ前記メモリに記憶された命令と
を備える装置。
【請求項４９】
前記命令は、前記装置に、
前記第１のコンポーネントキャリア上で前記ＨＡＲＱタイミングのインジケーションを送信すること
を行わせるように、前記プロセッサによってさらに実行可能である、請求項４８に記載の装置。
【請求項５０】
前記命令は、前記装置に、
１つまたは複数のユーザ機器（ＵＥ）能力を識別すること、ここにおいて、前記ＨＡＲＱタイミングを識別することは、前記１つまたは複数のＵＥ能力に少なくとも部分的にさらに基づく、
を行わせるように、前記プロセッサによってさらに実行可能である、請求項４８に記載の装置。
【請求項５１】
前記１つまたは複数のＵＥ能力は、トランスポートブロックサイズ（ＴＢＳ）、レイヤの数、基準信号タイプ、物理ダウンリンク制御チャネル（ＰＤＣＣＨ）送信持続時間、ｓＴＴＩ  ＰＤＣＣＨ送信持続時間、ブラインド復号の数、前記ＰＤＣＣＨまたは前記ｓＴＴＩ  ＰＤＣＣＨのための探索空間サイズ、またはこれらの組合せを備える、請求項５０に記載の装置。
【請求項５２】
前記１つまたは複数のＵＥ能力は、前記ダウンリンクＨＡＲＱ  ＡＣＫ／ＮＡＣＫメッセージを送信するＵＥに対応し、
前記１つまたは複数のＵＥ能力は、前記第１のＴＴＩまたはｓＴＴＩを用いて構成されたコンポーネントキャリアの数、前記ＵＥのために構成されたコンポーネントキャリアの総数、またはこれらの組合せに少なくとも部分的に基づく、
請求項５０に記載の装置。
【請求項５３】
前記１つまたは複数のＵＥ能力を識別するための前記命令は、前記装置に、
前記１つまたは複数のＵＥ能力のインジケーションを受信すること
を行わせるように、前記プロセッサによって実行可能である、請求項５０に記載の装置。
【請求項５４】
前記ダウンリンクＨＡＲＱ  ＡＣＫ／ＮＡＣＫメッセージは、前記第２のｓＴＴＩを使用して、前記第２のコンポーネントキャリア上で受信される、請求項４８に記載の装置。
【請求項５５】
前記第１のコンポーネントキャリアおよび前記第２のコンポーネントキャリアは、同じＰＵＣＣＨグループに対応する、請求項４８に記載の装置。
【請求項５６】
前記命令は、前記装置に、
時分割複信（ＴＤＤ）モード、ライセンス支援型アクセス（ＬＡＡ）モード、拡張ＬＡＡ（ｅＬＡＡ）モード、またはこれらの組合せで、前記第１のコンポーネントキャリアを構成すること
を行わせるように、前記プロセッサによってさらに実行可能である、請求項４８に記載の装置。
【請求項５７】
前記命令は、前記装置に、
周波数分割複信（ＦＤＤ）モードで、前記第１のコンポーネントキャリアまたは前記第２のコンポーネントキャリアを構成すること
を行わせるように、前記プロセッサによってさらに実行可能である、請求項４８に記載の装置。
【請求項５８】
前記第１のＴＴＩまたはｓＴＴＩは、７個の直交周波数分割多重（ＯＦＤＭ）シンボルに及ぶｓＴＴＩを備える、請求項４８に記載の装置。
【請求項５９】
前記第１のＴＴＩまたはｓＴＴＩは、１４個の直交周波数分割多重（ＯＦＤＭ）シンボルに及ぶＴＴＩを備える、請求項４８に記載の装置。
【請求項６０】
前記命令は、前記装置に、
前記ＴＴＩを２つのスロットに分割すること、ここにおいて、前記ダウンリンク送信は、前記２つのスロットの各々にわたって実行される、
を行わせるように、前記プロセッサによってさらに実行可能である、請求項５９に記載の装置。
【請求項６１】
前記第２のｓＴＴＩは、２個または３個の直交周波数分割多重（ＯＦＤＭ）シンボルに及ぶ、請求項４８に記載の装置。
【請求項６２】
前記第１のコンポーネントキャリアは、セカンダリセル（ＳＣｅｌｌ）コンポーネントキャリアを備え、
前記第２のコンポーネントキャリアは、プライマリセル（ＰＣｅｌｌ）コンポーネントキャリアまたは物理アップリンク制御チャネルＳＣｅｌｌ（ＰＳＣｅｌｌ）コンポーネントキャリアを備える、
請求項４８に記載の装置。
【請求項６３】
ワイヤレス通信のためのコードを記憶した非一時的なコンピュータ可読媒体であって、前記コードは、
ダウンリンク送信に関連付けられかつ第１の送信時間間隔（ＴＴＩ）または短縮されたＴＴＩ（ｓＴＴＩ）を用いて構成された第１のコンポーネントキャリアのためのハイブリッド自動再送要求（ＨＡＲＱ）タイミングを識別すること、前記第１のコンポーネントキャリアのための前記ＨＡＲＱタイミングは、アップリンク送信に関連付けられた第２のコンポーネントキャリアのために構成された第２のｓＴＴＩに少なくとも部分的に基づき、ここにおいて、前記第２のｓＴＴＩは、前記第１のＴＴＩまたはｓＴＴＩより短い、と、
前記第１のＴＴＩまたはｓＴＴＩを使用して、前記第１のコンポーネントキャリア上でダウンリンク送信を受信することと、
前記識別されたＨＡＲＱタイミングに従って、前記ダウンリンク送信に対応するダウンリンクＨＡＲＱ肯定応答または否定応答（ＡＣＫ／ＮＡＣＫ）メッセージを送信することと
を行うように、プロセッサによって実行可能な命令を備える、非一時的なコンピュータ可読媒体。
【請求項６４】
ワイヤレス通信のためのコードを記憶した非一時的なコンピュータ可読媒体であって、前記コードは、
ダウンリンク送信のための第１の送信時間間隔（ＴＴＩ）または短縮されたＴＴＩ（ｓＴＴＩ）を用いて第１のコンポーネントキャリアを、およびアップリンク送信のための第２のｓＴＴＩを用いて第２のコンポーネントキャリアを構成すること、ここにおいて、前記第２のｓＴＴＩは、前記第１のＴＴＩまたはｓＴＴＩより短い、と、
前記第２のコンポーネントキャリアのために構成された前記第２のｓＴＴＩに少なくとも部分的に基づいて、ダウンリンク送信に関連付けられかつ前記第１のコンポーネントキャリアのためのハイブリッド自動再送要求（ＨＡＲＱ）タイミングを識別することと、
前記第１のＴＴＩまたはｓＴＴＩを使用して、前記第１のコンポーネントキャリア上でダウンリンク送信を実行することと、
前記識別されたＨＡＲＱタイミングに従って、前記ダウンリンク送信に対応するダウンリンクＨＡＲＱ肯定応答または否定応答（ＡＣＫ／ＮＡＣＫ）メッセージを受信することと
を行うように、プロセッサによって実行可能な命令を備える、非一時的なコンピュータ可読媒体。
【発明の詳細な説明】
【相互参照】
【０００１】
[0001]本特許出願は、２０１７年１２月２１日に出願された「Carrier Aggregation for Downlink Throughput Enhancement in Shortened Transmission Time Interval (STTI) Operation」と題する、Ｈｏｓｓｅｉｎｉ他による米国仮特許出願第６２／６０９，２０７号、および２０１８年１２月１９日に出願された「Carrier Aggregation for Downlink Throughput Enhancement in Shortened Transmission Time Interval Operation」と題する、Ｈｏｓｓｅｉｎｉ他による米国特許出願第１６／２２６，４６５号の利益を主張し、これらの各々は、本譲受人に譲渡される。
【背景技術】
【０００２】
[0002]以下は、一般にワイヤレス通信に関し、より詳細には、短縮された送信時間間隔（ｓＴＴＩ：shortened transmission time interval）動作におけるダウンリンクスループットの向上のためのキャリアアグリゲーションに関する。
【０００３】
[0003]ワイヤレス通信システムは、音声、ビデオ、パケットデータ、メッセージング、ブロードキャストなどのような様々なタイプの通信コンテンツを提供するために広く展開されている。これらのシステムは、利用可能なシステムリソース（例えば、時間、周波数、および電力）を共有することによって、複数のユーザとの通信をサポートすることが可能であり得る。このような多元接続システムの例は、ロングタームエボリューション（ＬＴＥ（登録商標））システム、ＬＴＥアドバンスト（ＬＴＥ−Ａ）システム、またはＬＴＥ−Ａ  Ｐｒｏシステムなどの第４世代（４Ｇ）システムと、新無線（ＮＲ：New Radio）システムと呼ばれ得る第５世代（５Ｇ）システムとを含む。これらのシステムは、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、または離散フーリエ変換拡散ＯＦＤＭ（ＤＦＴ−Ｓ−ＯＦＤＭ）などの技術を用い得る。ワイヤレス多元接続通信システムは、いくつかの基地局またはネットワークアクセスノードを含み得、各々が、別名ユーザ機器（ＵＥ）として知られ得る複数の通信デバイスのための通信を同時にサポートする。
【０００４】
[0004]いくつかのワイヤレス通信システムでは、基地局およびＵＥなどのワイヤレスデバイスは、ダウンリンクメッセージを効率的に送信するためにキャリアアグリゲーションおよびｓＴＴＩを利用し得る。しかしながら、キャリアアグリゲーションのためにサポートされるコンポーネントキャリアの数は、ワイヤレスデバイスによってインプリメントされる送信モードに依存し得る。したがって、より多くのコンポーネントキャリアをサポートする送信モードをインプリメントすることは、より長いｓＴＴＩを必要とし得、ダウンリンクスループットと応答レイテンシとの間のトレードオフをもたらす。
【発明の概要】
【０００５】
[0005]説明される技法は、短縮された送信時間間隔（ｓＴＴＩ）動作におけるダウンリンクスループットの向上のためのキャリアアグリゲーションをサポートする改善された方法、システム、デバイス、または装置に関する。一般に、説明される技法は、ワイヤレス通信システムにおいて、低減されたハイブリッド自動再送要求（ＨＡＲＱ）フィードバックレイテンシと共に（with）、改善されたダウンリンクスループットを提供する。例えば、いくつかのワイヤレス通信システムにおける基地局およびユーザ機器（ＵＥ）は、修正されたＨＡＲＱタイムラインをインプリメントし得る。物理アップリンク制御チャネル（ＰＵＣＣＨ）グループについて、基地局は、ダウンリンクのための第１の送信時間間隔（ＴＴＩ）またはｓＴＴＩを用いて、第１のコンポーネントキャリア（例えば、プライマリセル（ＰＣｅｌｌ）またはＰＵＣＣＨセカンダリセル（ＰＳＣｅｌｌ）コンポーネントキャリア）を構成し得る。基地局は、第１のＴＴＩまたはｓＴＴＩより短い第２のｓＴＴＩを用いて、アップリンクのための（例えば、第１のＰＣｅｌｌまたはＰＳＣｅｌｌコンポーネントキャリアと同じＰＵＣＣＨグループにおいて）第２のコンポーネントキャリアをさらに構成し得る。基地局およびＵＥは、第１のＴＴＩまたはｓＴＴＩ（例えば、ダウンリンクのためのＴＴＩまたはｓＴＴＩ）ではなく、第２のｓＴＴＩ（例えば、アップリンクのためのｓＴＴＩ）に基づく、ダウンリンク送信に関連付けられたＨＡＲＱタイミングを識別し得る。基地局が第１のコンポーネントキャリア上でダウンリンク送信を送信すると、ＵＥは、このダウンリンク送信を受信し得、識別されたＨＡＲＱタイミングに従って、応答においてダウンリンクＨＡＲＱ肯定応答または否定応答（ＡＣＫ／ＮＡＣＫ）メッセージを送り得る。いくつかのケースでは、ＨＡＲＱタイミングは、ＵＥの１つまたは複数の能力、構成、または制限にさらに基づき得る。
【０００６】
[0006]ワイヤレス通信の方法が説明される。方法は、ダウンリンク送信に関連付けられかつ第１のＴＴＩまたはｓＴＴＩを用いて構成された第１のコンポーネントキャリアのためのＨＡＲＱタイミングを識別することを含み得、第１のコンポーネントキャリアのためのＨＡＲＱタイミングは、アップリンク送信に関連付けられた第２のコンポーネントキャリアのために構成された第２のｓＴＴＩに少なくとも部分的に基づき、ここで、第２のｓＴＴＩは、第１のＴＴＩまたはｓＴＴＩより短い。方法は、第１のＴＴＩまたはｓＴＴＩを使用して、第１のコンポーネントキャリア上でダウンリンク送信を受信することと、識別されたＨＡＲＱタイミングに従って、ダウンリンク送信に対応するダウンリンクＨＡＲＱ  ＡＣＫ／ＮＡＣＫメッセージを送信することと、をさらに含み得る。
【０００７】
[0007]ワイヤレス通信のための装置が説明される。装置は、ダウンリンク送信に関連付けられかつ第１のＴＴＩまたはｓＴＴＩを用いて構成された第１のコンポーネントキャリアのためのＨＡＲＱタイミングを識別するための手段を含み得、第１のコンポーネントキャリアのためのＨＡＲＱタイミングは、アップリンク送信に関連付けられた第２のコンポーネントキャリアのために構成された第２のｓＴＴＩに少なくとも部分的に基づき、ここで、第２のｓＴＴＩは、第１のＴＴＩまたはｓＴＴＩより短い。装置は、第１のＴＴＩまたはｓＴＴＩを使用して、第１のコンポーネントキャリア上でダウンリンク送信を受信するための手段と、識別されたＨＡＲＱタイミングに従って、ダウンリンク送信に対応するダウンリンクＨＡＲＱ  ＡＣＫ／ＮＡＣＫメッセージを送信するための手段と、をさらに含み得る。
【０００８】
[0008]ワイヤレス通信のための別の装置が説明される。装置は、プロセッサと、プロセッサと電子通信状態にあるメモリと、メモリに記憶された命令とを含み得る。命令は、プロセッサに、ダウンリンク送信に関連付けられかつ第１のＴＴＩまたはｓＴＴＩを用いて構成された第１のコンポーネントキャリアのためのＨＡＲＱタイミングを識別することを行わせるように動作可能であり得、第１のコンポーネントキャリアのためのＨＡＲＱタイミングは、アップリンク送信に関連付けられた第２のコンポーネントキャリアのために構成された第２のｓＴＴＩに少なくとも部分的に基づき、ここで、第２のｓＴＴＩは、第１のＴＴＩまたはｓＴＴＩより短い。命令は、プロセッサに、第１のＴＴＩまたはｓＴＴＩを使用して、第１のコンポーネントキャリア上でダウンリンク送信を受信することと、識別されたＨＡＲＱタイミングに従って、ダウンリンク送信に対応するダウンリンクＨＡＲＱ  ＡＣＫ／ＮＡＣＫメッセージを送信することと、を行わせるようにさらに動作可能であり得る。
【０００９】
[0009]ワイヤレス通信のための非一時的なコンピュータ可読媒体が説明される。非一時的なコンピュータ可読媒体は、プロセッサに、ダウンリンク送信に関連付けられかつ第１のＴＴＩまたはｓＴＴＩを用いて構成された第１のコンポーネントキャリアのためのＨＡＲＱタイミングを識別することを行わせるように動作可能な命令を含み得、第１のコンポーネントキャリアのためのＨＡＲＱタイミングは、アップリンク送信に関連付けられた第２のコンポーネントキャリアのために構成された第２のｓＴＴＩに少なくとも部分的に基づき、ここで、第２のｓＴＴＩは、第１のＴＴＩまたはｓＴＴＩより短い。命令は、プロセッサに、第１のＴＴＩまたはｓＴＴＩを使用して、第１のコンポーネントキャリア上でダウンリンク送信を受信することと、識別されたＨＡＲＱタイミングに従って、ダウンリンク送信に対応するダウンリンクＨＡＲＱ  ＡＣＫ／ＮＡＣＫメッセージを送信することと、を行わせるようにさらに動作可能であり得る。
【００１０】
[0010]上記で説明された方法、装置、および非一時的なコンピュータ可読媒体のいくつかの例では、第１のコンポーネントキャリアのためのＨＡＲＱタイミングを識別することは、第１のコンポーネントキャリア上でＨＡＲＱタイミングのインジケーションを受信することを含み得る。
【００１１】
[0011]上記で説明された方法、装置、および非一時的なコンピュータ可読媒体のいくつかの例は、１つまたは複数のＵＥ能力のインジケーションを送信するためのプロセス、特徴、手段、または命令をさらに含み得、ここで、ＨＡＲＱタイミングは、１つまたは複数のＵＥ能力に少なくとも部分的にさらに基づき得る。上記で説明された方法、装置、および非一時的なコンピュータ可読媒体のいくつかの例では、１つまたは複数のＵＥ能力は、トランスポートブロックサイズ（ＴＢＳ）、レイヤの数、基準信号タイプ、物理ダウンリンク制御チャネル（ＰＤＣＣＨ）送信持続時間、ｓＴＴＩ  ＰＤＣＣＨ送信持続時間、ブラインド復号の数、ＰＤＣＣＨまたはｓＴＴＩ  ＰＤＣＣＨのための探索空間サイズ、またはこれらの組合せを含む。
【００１２】
[0012]上記で説明された方法、装置、および非一時的なコンピュータ可読媒体のいくつかの例では、１つまたは複数のＵＥ能力は、ダウンリンクＨＡＲＱ  ＡＣＫ／ＮＡＣＫメッセージを送信するＵＥに対応し得る。上記で説明された方法、装置、および非一時的なコンピュータ可読媒体のいくつかの例は、第１のＴＴＩまたはｓＴＴＩを用いて構成されたコンポーネントキャリアの数、ＵＥのために構成されたコンポーネントキャリアの総数、またはこれらの組合せを決定するためのプロセス、特徴、手段、または命令をさらに含み得、ここで、１つまたは複数のＵＥ能力のインジケーションは、第１のＴＴＩまたはｓＴＴＩを用いて構成されたコンポーネントキャリアの数、ＵＥのために構成されたコンポーネントキャリアの総数、またはこれらの組合せに少なくとも部分的に基づく。
【００１３】
[0013]上記で説明された方法、装置、および非一時的なコンピュータ可読媒体のいくつかの例は、第２のｓＴＴＩ、１つまたは複数のＵＥ能力、またはこれらの組合せに少なくとも部分的に基づいて、最大タイミングアドバンス（ＴＡ：timing advance）を決定するためのプロセス、特徴、手段、または命令をさらに含み得る。
【００１４】
[0014]上記で説明された方法、装置、および非一時的なコンピュータ可読媒体のいくつかの例では、ダウンリンクＨＡＲＱ  ＡＣＫ／ＮＡＣＫメッセージは、第２のｓＴＴＩを使用して、第２のコンポーネントキャリア上で送信され得る。
【００１５】
[0015]上記で説明された方法、装置、および非一時的なコンピュータ可読媒体のいくつかの例では、第１のコンポーネントキャリアおよび第２のコンポーネントキャリアは、同じＰＵＣＣＨグループに対応する。
【００１６】
[0016]上記で説明された方法、装置、および非一時的なコンピュータ可読媒体のいくつかの例では、第１のコンポーネントキャリアは、時分割複信（ＴＤＤ）モード、ライセンス支援型アクセス（ＬＡＡ：licensed assisted access）モード、拡張ＬＡＡ（ｅＬＡＡ）モード、またはこれらの組合せで構成され得る。上記で説明された方法、装置、および非一時的なコンピュータ可読媒体のいくつかの例では、第１のコンポーネントキャリアまたは第２のコンポーネントキャリアは、周波数分割複信（ＦＤＤ）モードで構成され得る。
【００１７】
[0017]上記で説明された方法、装置、および非一時的なコンピュータ可読媒体のいくつかの例では、第１のＴＴＩまたはｓＴＴＩは、７個の直交周波数分割多重（ＯＦＤＭ）シンボルに及ぶｓＴＴＩの例である。上記で説明された方法、装置、および非一時的なコンピュータ可読媒体のいくつかの例では、第１のＴＴＩまたはｓＴＴＩは、１４個のＯＦＤＭシンボルに及ぶＴＴＩの例である。上記で説明された方法、装置、および非一時的なコンピュータ可読媒体のいくつかの例では、ＴＴＩは、２つのスロットに分割され得、ダウンリンク送信は、２つのスロットの各々にわたって受信され得る。上記で説明された方法、装置、および非一時的なコンピュータ可読媒体のいくつかの例では、第２のｓＴＴＩは、２個または３個のＯＦＤＭシンボルに及ぶ。
【００１８】
[0018]上記で説明された方法、装置、および非一時的なコンピュータ可読媒体のいくつかの例では、第１のコンポーネントキャリアは、セカンダリセル（ＳＣｅｌｌ）コンポーネントキャリアの例である。上記で説明された方法、装置、および非一時的なコンピュータ可読媒体のいくつかの例では、第２のコンポーネントキャリアは、ＰＣｅｌｌコンポーネントキャリアまたはＰＳＣｅｌｌコンポーネントキャリアの例である。
【００１９】
[0019]ワイヤレス通信の方法が説明される。方法は、ダウンリンク送信のための第１のＴＴＩまたはｓＴＴＩを用いて第１のコンポーネントキャリアを、およびアップリンク送信のための第２のｓＴＴＩを用いて第２のコンポーネントキャリアを構成することを含み得、ここで、第２のｓＴＴＩは、第１のＴＴＩまたはｓＴＴＩより短い。方法は、第２のコンポーネントキャリアのために構成された第２のｓＴＴＩに少なくとも部分的に基づいて、ダウンリンク送信に関連付けられかつ第１のコンポーネントキャリアのためのＨＡＲＱタイミングを識別することと、第１のＴＴＩまたはｓＴＴＩを使用して、第１のコンポーネントキャリア上でダウンリンク送信を実行することと、識別されたＨＡＲＱタイミングに従って、ダウンリンク送信に対応するダウンリンクＨＡＲＱ  ＡＣＫ／ＮＡＣＫメッセージを受信することと、をさらに含み得る。
【００２０】
[0020]ワイヤレス通信のための装置が説明される。装置は、ダウンリンク送信のための第１のＴＴＩまたはｓＴＴＩを用いて第１のコンポーネントキャリアを、およびアップリンク送信のための第２のｓＴＴＩを用いて第２のコンポーネントキャリアを構成するための手段を含み得、ここで、第２のｓＴＴＩは、第１のＴＴＩまたはｓＴＴＩより短い。装置は、第２のコンポーネントキャリアのために構成された第２のｓＴＴＩに少なくとも部分的に基づいて、ダウンリンク送信に関連付けられかつ第１のコンポーネントキャリアのためのＨＡＲＱタイミングを識別するための手段と、第１のＴＴＩまたはｓＴＴＩを使用して、第１のコンポーネントキャリア上でダウンリンク送信を実行するための手段と、識別されたＨＡＲＱタイミングに従って、ダウンリンク送信に対応するダウンリンクＨＡＲＱ  ＡＣＫ／ＮＡＣＫメッセージを受信するための手段と、をさらに含み得る。
【００２１】
[0021]ワイヤレス通信のための別の装置が説明される。装置は、プロセッサと、プロセッサと電子通信状態にあるメモリと、メモリに記憶された命令とを含み得る。命令は、プロセッサに、ダウンリンク送信のための第１のＴＴＩまたはｓＴＴＩを用いて第１のコンポーネントキャリアを、およびアップリンク送信のための第２のｓＴＴＩを用いて第２のコンポーネントキャリアを構成することを行わせるように動作可能であり得、ここで、第２のｓＴＴＩは、第１のＴＴＩまたはｓＴＴＩより短い。命令は、プロセッサに、第２のコンポーネントキャリアのために構成された第２のｓＴＴＩに少なくとも部分的に基づいて、ダウンリンク送信に関連付けられかつ第１のコンポーネントキャリアのためのＨＡＲＱタイミングを識別することと、第１のＴＴＩまたはｓＴＴＩを使用して、第１のコンポーネントキャリア上でダウンリンク送信を実行することと、識別されたＨＡＲＱタイミングに従って、ダウンリンク送信に対応するダウンリンクＨＡＲＱ  ＡＣＫ／ＮＡＣＫメッセージを受信することと、を行わせるようにさらに動作可能であり得る。
【００２２】
[0022]ワイヤレス通信のための非一時的なコンピュータ可読媒体が説明される。非一時的なコンピュータ可読媒体は、プロセッサに、ダウンリンク送信のための第１のＴＴＩまたはｓＴＴＩを用いて第１のコンポーネントキャリアを、およびアップリンク送信のための第２のｓＴＴＩを用いて第２のコンポーネントキャリアを構成することを行わせるように動作可能な命令を含み得、ここで、第２のｓＴＴＩは、第１のＴＴＩまたはｓＴＴＩより短い。命令は、プロセッサに、第２のコンポーネントキャリアのために構成された第２のｓＴＴＩに少なくとも部分的に基づいて、ダウンリンク送信に関連付けられかつ第１のコンポーネントキャリアのためのＨＡＲＱタイミングを識別することと、第１のＴＴＩまたはｓＴＴＩを使用して、第１のコンポーネントキャリア上でダウンリンク送信を実行することと、識別されたＨＡＲＱタイミングに従って、ダウンリンク送信に対応するダウンリンクＨＡＲＱ  ＡＣＫ／ＮＡＣＫメッセージを受信することと、を行わせるようにさらに動作可能であり得る。
【００２３】
[0023]上記で説明された方法、装置、および非一時的なコンピュータ可読媒体のいくつかの例は、第１のコンポーネントキャリア上でＨＡＲＱタイミングのインジケーションを送信するためのプロセス、特徴、手段、または命令をさらに含み得る。
【００２４】
[0024]上記で説明された方法、装置、および非一時的なコンピュータ可読媒体のいくつかの例は、１つまたは複数のＵＥ能力を識別するためのプロセス、特徴、手段、または命令をさらに含み得、ここで、ＨＡＲＱタイミングを識別することは、１つまたは複数のＵＥ能力に少なくとも部分的にさらに基づき得る。上記で説明された方法、装置、および非一時的なコンピュータ可読媒体のいくつかの例では、１つまたは複数のＵＥ能力は、ＴＢＳ、レイヤの数、基準信号タイプ、ＰＤＣＣＨ送信持続時間（例えば、「レガシー」ＰＤＣＣＨ送信持続時間）、ｓＴＴＩ  ＰＤＣＣＨ送信持続時間、ブラインド復号の数、ＰＤＣＣＨまたはｓＴＴＩ  ＰＤＣＣＨのための探索空間サイズ、またはこれらの組合せを含む。上記で説明された方法、装置、および非一時的なコンピュータ可読媒体のいくつかの例では、１つまたは複数のＵＥ能力を識別することは、１つまたは複数のＵＥ能力のインジケーションを受信することを含む。
【００２５】
[0025]上記で説明された方法、装置、および非一時的なコンピュータ可読媒体のいくつかの例では、１つまたは複数のＵＥ能力は、ダウンリンクＨＡＲＱ  ＡＣＫ／ＮＡＣＫメッセージを送信するＵＥに対応し得、１つまたは複数のＵＥ能力は、第１のＴＴＩまたはｓＴＴＩを用いて構成されたコンポーネントキャリアの数、ＵＥのために構成されたコンポーネントキャリアの総数、またはこれらの組合せに基づき得る。
【００２６】
[0026]上記で説明された方法、装置、および非一時的なコンピュータ可読媒体のいくつかの例では、ダウンリンクＨＡＲＱ  ＡＣＫ／ＮＡＣＫメッセージは、第２のｓＴＴＩを使用して、第２のコンポーネントキャリア上で受信され得る。
【００２７】
[0027]上記で説明された方法、装置、および非一時的なコンピュータ可読媒体のいくつかの例では、第１のコンポーネントキャリアおよび第２のコンポーネントキャリアは、同じＰＵＣＣＨグループに対応する。
【００２８】
[0028]上記で説明された方法、装置、および非一時的なコンピュータ可読媒体のいくつかの例は、ＴＤＤモード、ＬＡＡモード、ｅＬＡＡモード、またはこれらの組合せで、第１のコンポーネントキャリアを構成するためのプロセス、特徴、手段、または命令をさらに含み得る。上記で説明された方法、装置、および非一時的なコンピュータ可読媒体のいくつかの例は、ＦＤＤモードで第１のコンポーネントキャリアまたは第２のコンポーネントキャリアを構成するためのプロセス、特徴、手段、または命令をさらに含み得る。
【００２９】
[0029]上記で説明された方法、装置、および非一時的なコンピュータ可読媒体のいくつかの例では、第１のＴＴＩまたはｓＴＴＩは、７個のＯＦＤＭシンボルに及ぶｓＴＴＩの例である。上記で説明された方法、装置、および非一時的なコンピュータ可読媒体のいくつかの例では、第１のＴＴＩまたはｓＴＴＩは、１４個のＯＦＤＭシンボルに及ぶＴＴＩの例である。上記で説明された方法、装置、および非一時的なコンピュータ可読媒体のいくつかの例は、ＴＴＩを２つのスロットに分割するためのプロセス、特徴、手段、または命令をさらに含み得、ここで、ダウンリンク送信は、２つのスロットの各々にわたって実行され得る。上記で説明された方法、装置、および非一時的なコンピュータ可読媒体のいくつかの例では、第２のｓＴＴＩは、２個または３個のＯＦＤＭシンボルに及ぶ。
【００３０】
[0030]上記で説明された方法、装置、および非一時的なコンピュータ可読媒体のいくつかの例では、第１のコンポーネントキャリアは、ＳＣｅｌｌコンポーネントキャリアの例である。上記で説明された方法、装置、および非一時的なコンピュータ可読媒体のいくつかの例では、第２のコンポーネントキャリアは、ＰＣｅｌｌコンポーネントキャリアまたはＰＳＣｅｌｌコンポーネントキャリアの例である。
【図面の簡単な説明】
【００３１】
【図１】[0031]図１は、本開示の態様による、短縮された送信時間間隔（ｓＴＴＩ）動作におけるダウンリンクスループットの向上のためのキャリアアグリゲーションをサポートするワイヤレス通信システムの例を例示する。
【図２】[0031]図２は、本開示の態様による、短縮された送信時間間隔（ｓＴＴＩ）動作におけるダウンリンクスループットの向上のためのキャリアアグリゲーションをサポートするワイヤレス通信システムの例を例示する。
【図３】[0032]図３は、本開示の態様による、ｓＴＴＩ動作におけるダウンリンクスループットの向上のためのキャリアアグリゲーションをサポートするダウンリンクハイブリッド自動再送要求（ＨＡＲＱ）タイミングの例を示す。
【図４】[0033]図４は、本開示の態様による、ｓＴＴＩ動作におけるダウンリンクスループットの向上のためのキャリアアグリゲーションをサポートするプロセスフローの例を例示する。
【図５】[0034]図５は、本開示の態様による、ｓＴＴＩ動作におけるダウンリンクスループットの向上のためのキャリアアグリゲーションをサポートするワイヤレスデバイスのブロック図を示す。
【図６】[0034]図６は、本開示の態様による、ｓＴＴＩ動作におけるダウンリンクスループットの向上のためのキャリアアグリゲーションをサポートするワイヤレスデバイスのブロック図を示す。
【図７】[0035]図７は、本開示の態様による、ｓＴＴＩ動作におけるダウンリンクスループットの向上のためのキャリアアグリゲーションをサポートするユーザ機器（ＵＥ）ＨＡＲＱタイミングモジュールのブロック図を示す。
【図８】[0036]図８は、本開示の態様による、ｓＴＴＩ動作におけるダウンリンクスループットの向上のためのキャリアアグリゲーションをサポートするワイヤレスデバイスを含むシステムの図を示す。
【図９】[0037]図９は、本開示の態様による、ｓＴＴＩ動作におけるダウンリンクスループットの向上のためのキャリアアグリゲーションをサポートするワイヤレスデバイスのブロック図を示す。
【図１０】[0037]図１０は、本開示の態様による、ｓＴＴＩ動作におけるダウンリンクスループットの向上のためのキャリアアグリゲーションをサポートするワイヤレスデバイスのブロック図を示す。
【図１１】[0038]図１１は、本開示の態様による、ｓＴＴＩ動作におけるダウンリンクスループットの向上のためのキャリアアグリゲーションをサポートする基地局ＨＡＲＱタイミングモジュールのブロック図を示す。
【図１２】[0039]図１２は、本開示の態様による、ｓＴＴＩ動作におけるダウンリンクスループットの向上のためのキャリアアグリゲーションをサポートするワイヤレスデバイスを含むシステムの図を示す。
【図１３】[0040]図１３は、本開示の態様による、ｓＴＴＩ動作におけるダウンリンクスループットの向上のためのキャリアアグリゲーションのための方法を例示するフローチャートを示す。
【図１４】[0040]図１４は、本開示の態様による、ｓＴＴＩ動作におけるダウンリンクスループットの向上のためのキャリアアグリゲーションのための方法を例示するフローチャートを示す。
【図１５】[0040]図１５は、本開示の態様による、ｓＴＴＩ動作におけるダウンリンクスループットの向上のためのキャリアアグリゲーションのための方法を例示するフローチャートを示す。
【図１６】[0040]図１６は、本開示の態様による、ｓＴＴＩ動作におけるダウンリンクスループットの向上のためのキャリアアグリゲーションのための方法を例示するフローチャートを示す。
【詳細な説明】
【００３２】
[0041]いくつかのワイヤレス通信システムでは、基地局およびユーザ機器（ＵＥ）は、短縮された送信時間間隔（ｓＴＴＩ）と組み合わせてキャリアアグリゲーションをインプリメントし得る。ワイヤレスデバイスは、異なる動作モードで（with）コンポーネントキャリアを利用し得る。例えば、基地局は、時分割複信（ＴＤＤ）モード、ライセンス支援型アクセス（ＬＡＡ）モード、拡張ＬＡＡ（ｅＬＡＡ）モード、またはこれらのモードの何らかの組合せ、あるいは他の同様のモードを使用して、ダウンリンク上で送信し得る。これらの動作モードは、周波数分割複信（ＦＤＤ）モードよりも多数のコンポーネントキャリアをキャリアアグリゲーションのためにサポートし得る。しかしながら、ＦＤＤモードは、他の動作モードに比べて、より短いｓＴＴＩとの互換性があり得るので、ＵＥは、ＦＤＤモードを使用してアップリンク上で送信し得る。例えば、ＦＤＤコンポーネントキャリアは、フレーム構造（ＦＳ：frame structure）１および長さが２個の直交周波数分割多重（ＯＦＤＭ）シンボルであるｓＴＴＩをサポートし得る。対照的に、ＴＤＤコンポーネントキャリアは、ＦＳ２および長さが７個のＯＦＤＭシンボルのｓＴＴＩをサポートし得、ＬＡＡまたはｅＬＡＡコンポーネントキャリアは、ＦＳ３および長さが１４個のＯＦＤＭシンボルの送信時間間隔（ＴＴＩ）をサポートし得る。
【００３３】
[0042]低減されたハイブリッド自動再送要求（ＨＡＲＱ）レイテンシと共に、拡張されたダウンリンクスループットをサポートするために、基地局およびＵＥは、修正されたＨＡＲＱタイムラインをインプリメントし得る。基地局およびＵＥは、ダウンリンクのためのＴＴＩまたはｓＴＴＩに基づいているのではなく、アップリンクのためのｓＴＴＩに基づくダウンリンク送信に関連付けられたＨＡＲＱタイミングを識別し得る。基地局は、（例えば、７または１４シンボルｓＴＴＩまたはＴＴＩおよびセカンダリセル（ＳＣｅｌｌ）コンポーネントキャリアを使用して）ＦＳ２またはＦＳ３コンポーネントキャリア上で、ＵＥにダウンリンク送信を送り得る。ＵＥは、ダウンリンク送信を受信し得、ダウンリンク送信に応答して、ダウンリンクＨＡＲＱ肯定応答または否定応答（ＡＣＫ／ＮＡＣＫ）メッセージを送り得る。例えば、ＵＥは、ＡＣＫを送るべきか、あるいはＮＡＣＫを送るべきかを決定するために、ＨＡＲＱプロセスを実行し得、（例えば、２または３シンボルｓＴＴＩおよびプライマリセル（ＰＣｅｌｌ）または物理アップリンク制御チャネル（ＰＵＣＣＨ）セカンダリセル（ＰＳＣｅｌｌ）コンポーネントキャリアを使用して）アップリンクのためのＦＳ１コンポーネントキャリア上でダウンリンクＨＡＲＱ  ＡＣＫ／ＮＡＣＫを送り得る。ＵＥは、識別されたＨＡＲＱタイミングに従って、基地局にダウンリンクＨＡＲＱ  ＡＣＫ／ＮＡＣＫを送り得る。このようにして、基地局は、ダウンリンク送信のためにより長いＴＴＩまたはｓＴＴＩを利用し得、増大されたキャリアアグリゲーションをサポートし、一方、ＵＥは、より短いｓＴＴＩに基づくより速いタイムフレームに従って、ＨＡＲＱフィードバックを送り得、低減されたＨＡＲＱレイテンシをサポートする。
【００３４】
[0043]本開示の態様は、ワイヤレス通信システムのコンテキストにおいて、最初に説明される。本開示の追加の態様は、ダウンリンクＨＡＲＱタイミングおよびプロセスフローに関して説明される。本開示の態様はさらに、ｓＴＴＩ動作におけるダウンリンクスループットの向上のためのキャリアアグリゲーションに関する装置図、システム図、およびフローチャートによって例示され、また、それらを参照して説明される。
【００３５】
[0044]図１は、本開示の態様による、ｓＴＴＩ動作におけるダウンリンクスループットの向上のためのキャリアアグリゲーションをサポートするワイヤレス通信システム１００の例を例示する。ワイヤレス通信システム１００は、基地局１０５、ＵＥ１１５、およびコアネットワーク１３０を含む。いくつかの例では、ワイヤレス通信システム１００は、ロングタームエボリューション（ＬＴＥ）ネットワーク、ＬＴＥアドバンスト（ＬＴＥ−Ａ）ネットワーク、ＬＴＥ−Ａ  Ｐｒｏネットワーク、または新無線（ＮＲ）ネットワークであり得る。いくつかのケースでは、ワイヤレス通信システム１００は、拡張されたブロードバンド通信、超高信頼性（例えば、ミッションクリティカル）通信、低レイテンシ通信、または低コストおよび低複雑度のデバイスとの（with）通信をサポートし得る。いくつかのケースでは、基地局１０５およびＵＥ１１５は、キャリアアグリゲーションおよびｓＴＴＩ動作をサポートするワイヤレス通信システム１００内で動作し得る。
【００３６】
[0045]基地局１０５は、１つまたは複数の基地局アンテナを介して、ＵＥ１１５とワイヤレスに通信し得る。本明細書で説明される基地局１０５は、トランシーバ基地局（base transceiver station）、無線基地局、アクセスポイント、無線トランシーバ、ノードＢ、ｅノードＢ（ｅＮＢ）、次世代ノードＢもしくはギガノードＢ（これらのいずれもがｇＮＢと呼ばれ得る）、ホームノードＢ、ホームｅノードＢ、または何らかの他の好適な専門用語で当業者によって呼ばれ得るか、あるいはそれらを含み得る。ワイヤレス通信システム１００は、異なるタイプの基地局１０５（例えば、マクロまたはスモールセル基地局）を含み得る。本明細書で説明されるＵＥ１１５は、マクロｅＮＢ、スモールセルｅＮＢ、ｇＮＢ、中継基地局などを含む、様々なタイプの基地局１０５およびネットワーク機器と通信することが可能であり得る。
【００３７】
[0046]各基地局１０５は、様々なＵＥ１１５との通信がサポートされる特定の地理的カバレッジエリア１１０に関連付けられ得る。各基地局１０５は、通信リンク１２５を介してそれぞれの地理的カバレッジエリア１１０に対して通信カバレッジを提供し得、基地局１０５とＵＥ１１５との間の通信リンク１２５は、１つまたは複数のキャリアを利用し得る。ワイヤレス通信システム１００において示される通信リンク１２５は、ＵＥ１１５から基地局１０５へのアップリンク送信、または基地局１０５からＵＥ１１５へのダウンリンク送信を含み得る。ダウンリンク送信は、順方向リンク送信とも呼ばれ得、一方、アップリンク送信は、逆方向リンク送信とも呼ばれ得る。
【００３８】
[0047]基地局１０５のための地理的カバレッジエリア１１０は、この地理的カバレッジエリア１１０の一部分のみを構成するセクタに分割され得、各セクタは、セルに関連付けられ得る。例えば、各基地局１０５は、マクロセル、スモールセル、ホットスポット、または他のタイプのセル、あるいはこれらの様々な組合せに対して、通信カバレッジを提供し得る。いくつかの例では、基地局１０５は、移動可能であり、したがって、移動する地理的カバレッジエリア１１０に対して通信カバレッジを提供し得る。いくつかの例では、異なる技術に関連付けられた異なる地理的カバレッジエリア１１０は、オーバーラップし得、異なる技術に関連付けられたオーバーラップする地理的カバレッジエリア１１０は、同じ基地局１０５によってまたは異なる基地局１０５によってサポートされ得る。ワイヤレス通信システム１００は、例えば、異なるタイプの基地局１０５が様々な地理的カバレッジエリア１１０に対してカバレッジを提供する異種ＬＴＥ／ＬＴＥ−Ａ／ＬＴＥ−Ａ  ＰｒｏまたはＮＲネットワークを含み得る。
【００３９】
[0048]「セル」という用語は、（例えば、キャリア上での）基地局１０５との通信のために使用される論理通信エンティティを指し、同じまたは異なるキャリアを介して動作する近隣セルを区別するための識別子（例えば、物理セル識別子（ＰＣＩＤ）、仮想セル識別子（ＶＣＩＤ））に関連付けられ得る。いくつかの例では、キャリアは、複数のセルをサポートし得、異なるセルは、異なるタイプのデバイスにアクセスを提供し得る異なるプロトコルタイプ（例えば、マシンタイプ通信（ＭＴＣ）、狭帯域モノのインターネット（ＮＢ−ＩｏＴ）、拡張モバイルブロードバンド（ｅＭＢＢ）、またはその他）に従って構成され得る。いくつかのケースでは、「セル」という用語は、論理エンティティが動作する地理的カバレッジエリア１１０（例えば、セクタ）の一部分を指し得る。
【００４０】
[0049]ＵＥ１１５は、ワイヤレス通信システム１００全体にわたって分散され得、各ＵＥ１１５は、固定またはモバイルであり得る。ＵＥ１１５はまた、モバイルデバイス、ワイヤレスデバイス、遠隔デバイス、ハンドヘルドデバイス、または加入者デバイス、あるいは何らかの他の好適な専門用語で呼ばれ得、ここで、「デバイス」は、ユニット、局、端末、またはクライアントとも呼ばれ得る。ＵＥ１１５はまた、セルラフォン、携帯情報端末（ＰＤＡ）、タブレットコンピュータ、ラップトップコンピュータ、またはパーソナルコンピュータなどのパーソナル電子デバイスであり得る。いくつかの例では、ＵＥ１１５はまた、ワイヤレスローカルループ（ＷＬＬ）局、モノのインターネット（ＩｏＴ）デバイス、全てのインターネット（ＩｏＥ）デバイス、またはＭＴＣデバイス、あるいは同様のものを指し得、これらは、アプライアンス、車両、メータ、または同様のものなどの様々な物品においてインプリメントされ得る。
【００４１】
[0050]ＭＴＣまたはＩｏＴデバイスなどのいくつかのＵＥ１１５は、低コストまたは低複雑度のデバイスであり得、（例えば、マシンツーマシン（Ｍ２Ｍ）通信を介した）マシン間の自動化された通信を提供し得る。Ｍ２Ｍ通信またはＭＴＣは、デバイスが人間の介在なしに互いにまたは基地局１０５と通信することを可能にするデータ通信技術を指し得る。いくつかの例では、Ｍ２Ｍ通信またはＭＴＣは、情報を測定または捕捉するためにセンサまたはメータを一体化し、プログラムまたはアプリケーションとインタラクトする人間にその情報を提示するか、またはその情報を利用し得るアプリケーションプログラムまたは中央サーバにその情報を中継するデバイスからの通信を含み得る。いくつかのＵＥ１１５は、情報を収集するか、または機械の自動化された挙動を可能にするように設計され得る。ＭＴＣデバイスのためのアプリケーションの例は、スマートメータリング、在庫（inventory）モニタリング、水位モニタリング、機器モニタリング、ヘルスケアモニタリング、野生生物モニタリング、天候および地質学的イベントモニタリング、フリート（fleet）管理および追跡、遠隔セキュリティ感知、物理アクセス制御、ならびに取引ベースのビジネス課金（transaction-based business charging）を含む。
【００４２】
[0051]いくつかのＵＥ１１５は、半二重通信（例えば、送信または受信を介した一方向通信をサポートするが、同時に送信と受信をサポートしないモード）などの、電力消費を低減させる動作モードを用いるように構成され得る。いくつかの例では、半二重通信は、低減されたピークレートで実行され得る。ＵＥ１１５のための他の電力節約技法は、アクティブな通信に従事していないときに電力節約「ディープスリープ」モードに入ること、または（例えば、狭帯域通信に従って）制限された帯域幅上で動作することを含む。いくつかのケースでは、ＵＥ１１５は、クリティカルな機能（例えば、ミッションクリティカル機能）をサポートするように設計され得、ワイヤレス通信システム１００は、これらの機能のために超高信頼性通信を提供するように構成され得る。
【００４３】
[0052]いくつかのケースでは、ＵＥ１１５はまた、（例えば、ピアツーピア（Ｐ２Ｐ）またはデバイスツーデバイス（Ｄ２Ｄ）プロトコルを使用して）他のＵＥ１１５と直接的に通信することも可能であり得る。Ｄ２Ｄ通信を利用するＵＥ１１５のグループのうちの１つまたは複数は、基地局１０５の地理的カバレッジエリア１１０内にあり得る。このようなグループにおける他のＵＥ１１５は、基地局１０５の地理的カバレッジエリア１１０の外部にあり得るか、または他の理由で（or be otherwise）、基地局１０５からの送信を受信することができない。いくつかのケースでは、Ｄ２Ｄ通信を介して通信するＵＥ１１５のグループは、各ＵＥ１１５がグループにおけるその他全ての（every other）ＵＥ１１５に送信する、一対多（one-to-many）（１：Ｍ）システムを利用し得る。いくつかのケースでは、基地局１０５は、Ｄ２Ｄ通信のためのリソースのスケジューリングを容易にする。他のケースでは、Ｄ２Ｄ通信は、基地局１０５の関与なしにＵＥ１１５間で行われる。
【００４４】
[0053]基地局１０５は、コアネットワーク１３０と、および、互いに通信し得る。例えば、基地局１０５は、バックホールリンク１３２を通じて（例えば、Ｓ１または他のインターフェースを介して）、コアネットワーク１３０とインターフェースし得る。基地局１０５は、バックホールリンク１３４を介して（例えば、Ｘ２または他のインターフェースを介して）、直接的に（例えば、基地局１０５間で直接的に）または間接的に（例えば、コアネットワーク１３０を介して）のいずれかで、互いに通信し得る。
【００４５】
[0054]コアネットワーク１３０は、ユーザ認証、アクセス認可、追跡、インターネットプロトコル（ＩＰ）接続性、および他のアクセス、ルーティング、またはモビリティ機能を提供し得る。コアネットワーク１３０は、発展型パケットコア（ＥＰＣ）であり得、これは、少なくとも１つのモビリティ管理エンティティ（ＭＭＥ）、少なくとも１つのサービングゲートウェイ（Ｓ−ＧＷ）、および少なくとも１つのパケットデータネットワーク（ＰＤＮ）ゲートウェイ（Ｐ−ＧＷ）を含み得る。ＭＭＥは、ＥＰＣに関連付けられた基地局１０５によってサービス提供されるＵＥ１１５のためのモビリティ、認証、およびベアラ管理などの、非アクセス層（例えば、制御プレーン）機能を管理し得る。ユーザＩＰパケットは、Ｓ−ＧＷを通じて転送され得、これは、それ自体がＰ−ＧＷに接続され得る。Ｐ−ＧＷは、ＩＰアドレス割振りならびに他の機能を提供し得る。Ｐ−ＧＷは、ネットワークオペレータＩＰサービスに接続され得る。オペレータＩＰサービスは、インターネット、（１つまたは複数の）イントラネット、ＩＰマルチメディアサブシステム（ＩＭＳ）、またはパケット交換（ＰＳ）ストリーミングサービスへのアクセスを含み得る。
【００４６】
[0055]基地局１０５などのネットワークデバイスのうちの少なくともいくつかは、アクセスネットワークエンティティなどのサブコンポーネントを含み得、これは、アクセスノードコントローラ（ＡＮＣ）の例であり得る。各アクセスネットワークエンティティは、いくつかの他のアクセスネットワーク送信エンティティを通じてＵＥ１１５と通信し得、それらは、無線ヘッド、スマート無線ヘッド、または送信／受信ポイント（ＴＲＰ）と呼ばれ得る。いくつかの構成では、各アクセスネットワークエンティティまたは基地局１０５の様々な機能は、様々なネットワークデバイス（例えば、無線ヘッドおよびアクセスネットワークコントローラ）にわたって分散されるか、または単一のネットワークデバイス（例えば、基地局１０５）に統合され得る。
【００４７】
[0056]ワイヤレス通信システム１００は、典型的には３００ＭＨｚ〜３００ＧＨｚの範囲にある、１つまたは複数の周波数帯域を使用して動作し得る。一般に、３００ＭＨｚ〜３ＧＨｚの領域は、波長が約１デシメートル〜１メートルの長さに及ぶので、極超短波（ＵＨＦ）領域またはデシメートル帯域として知られている。ＵＨＦ波は、建物および環境的特徴によって遮断またはリダイレクトされ得る。しかしながら、波は、マクロセルが屋内に位置するＵＥ１１５にサービスを提供するのに十分に、構造を透過し得る。ＵＨＦ波の送信は、３００ＭＨｚより下のスペクトルの短波（ＨＦ）または超短波（ＶＨＦ）部分のより小さい周波数およびより長い波を使用する送信と比較して、より小さいアンテナおよびより短いレンジ（例えば、１００ｋｍ未満）に関連付けられ得る。
【００４８】
[0057]ワイヤレス通信システム１００はまた、センチメートル帯域としても知られる、３ＧＨｚ〜３０ＧＨｚの周波数帯域を使用して、極極超短波（ＳＨＦ）領域において動作し得る。ＳＨＦ領域は、他のユーザからの干渉を許容し得るデバイスによって日和見的に使用され得る、５ＧＨｚ産業科学医療用（ＩＳＭ）帯域などの帯域を含む。
【００４９】
[0058]ワイヤレス通信システム１００はまた、ミリメートル帯域としても知られる、スペクトルのミリメートル波（ＥＨＦ：extremely high frequency）領域（例えば、３０ＧＨｚ〜３００ＧＨｚ）において動作し得る。いくつかの例では、ワイヤレス通信システム１００は、ＵＥ１１５と基地局１０５との間のミリメートル波（ｍｍＷ）通信をサポートし得、それぞれのデバイスのＥＨＦアンテナは、ＵＨＦアンテナよりもさらに小さく、より狭い間隔で配置され得る。いくつかのケースでは、これは、ＵＥ１１５内のアンテナアレイの使用を容易にし得る。しかしながら、ＥＨＦ送信の伝搬は、ＳＨＦまたはＵＨＦ送信よりもさらに大きい大気減衰を受けることがあり、より短いレンジになり得る。本明細書で開示される技法は、１つまたは複数の異なる周波数領域を使用する送信にわたって用いられ得、これらの周波数領域にわたる帯域の指定された使用は、国または規制機関によって異なり得る。
【００５０】
[0059]いくつかのケースでは、ワイヤレス通信システム１００は、ライセンスおよびアンライセンス無線周波数スペクトル帯域の両方を利用し得る。例えば、ワイヤレス通信システム１００は、５ＧＨｚ  ＩＳＭ帯域などのアンライセンス帯域において、ライセンス支援型アクセス（ＬＡＡ）、ＬＴＥアンライセンス（ＬＴＥ−Ｕ）無線アクセス技術、またはＮＲ技術を用い得る。アンライセンス無線周波数スペクトル帯域において動作するとき、基地局１０５およびＵＥ１１５などのワイヤレスデバイスは、データを送信する前に周波数チャネルがクリアであることを確実にするために、リッスンビフォアトーク（ＬＢＴ：listen-before-talk）プロシージャを用い得る。いくつかのケースでは、アンライセンス帯域における動作は、ライセンス帯域（例えば、ＬＡＡ）において動作するコンポーネントキャリアと共に（in conjunction witｈ）、キャリアアグリゲーション構成に基づき得る。アンライセンススペクトルにおける動作は、ダウンリンク送信、アップリンク送信、ピアツーピア送信、またはこれらの組合せを含み得る。アンライセンススペクトルにおける複信（duplexing）は、ＦＤＤ、ＴＤＤ、または両方の組合せに基づき得る。
【００５１】
[0060]いくつかの例では、基地局１０５またはＵＥ１１５は、複数のアンテナを装備し得、それらは、送信ダイバーシティ、受信ダイバーシティ、多入力多出力（ＭＩＭＯ）通信、またはビームフォーミングなどの技法を用いるために使用され得る。例えば、ワイヤレス通信システム１００は、送信デバイス（例えば、基地局１０５）と受信デバイス（例えば、ＵＥ１１５）との間の送信方式を使用し得、ここで、送信デバイスは、複数のアンテナを装備し、受信デバイスは、１つまたは複数のアンテナを装備する。ＭＩＭＯ通信は、異なる空間レイヤを介して複数の信号を送信または受信することによってスペクトル効率を増大させるためにマルチパス信号伝搬を用い得、これは、空間多重化と呼ばれ得る。複数の信号は、例えば、異なるアンテナまたはアンテナの異なる組合せを介して、送信デバイスによって送信され得る。同様に、複数の信号は、異なるアンテナまたはアンテナの異なる組合せを介して、受信デバイスによって受信され得る。複数の信号の各々は、別個の空間ストリームと呼ばれ得、同じデータストリーム（例えば、同じコードワード）または異なるデータストリームに関連付けられたビットを搬送し得る。異なる空間レイヤは、チャネル測定および報告のために使用される異なるアンテナポートに関連付けられ得る。ＭＩＭＯ技法は、複数の空間レイヤが同じ受信デバイスに送信されるシングルユーザＭＩＭＯ（ＳＵ−ＭＩＭＯ）と、複数の空間レイヤが複数のデバイスに送信されるマルチユーザＭＩＭＯ（ＭＵ−ＭＩＭＯ）とを含む。
【００５２】
[0061]空間フィルタリング、指向性送信、または指向性受信とも呼ばれ得るビームフォーミングは、送信デバイスと受信デバイスとの間の空間経路に沿ってアンテナビーム（例えば、送信ビームまたは受信ビーム）を形成またはステアリングするために、送信デバイスまたは受信デバイス（例えば、基地局１０５またはＵＥ１１５）において使用され得る信号処理技法である。ビームフォーミングは、アンテナアレイのアンテナ素子を介して通信される信号を、アンテナアレイに対して特定の向きで伝搬する信号が強め合う干渉を経験し、他の信号が弱め合う干渉を経験するように組み合わせることによって達成され得る。アンテナ素子を介して通信される信号の調整は、送信デバイスまたは受信デバイスが、デバイスに関連付けられたアンテナ素子の各々を介して搬送される信号に、ある特定の振幅および位相オフセットを適用することを含み得る。アンテナ素子の各々に関連付けられた調整は、（例えば、送信デバイスまたは受信デバイスのアンテナアレイに対して、あるいは何らかの他の向きに対して）特定の向きに関連付けられたビームフォーミング重みセットによって定義され得る。
【００５３】
[0062]一例では、基地局１０５は、ＵＥ１１５との指向性通信のためのビームフォーミング動作を実施するために、複数のアンテナまたはアンテナアレイを使用し得る。例えば、いくつかの信号（例えば、同期信号、基準信号、ビーム選択信号、または他の制御信号）は、異なる方向に複数回基地局１０５によって送信され得、これは、異なる送信の方向に関連付けられた異なるビームフォーミング重みセットに従って送信される信号を含み得る。異なるビーム方向における送信は、基地局１０５による後続の送信および／または受信のためのビーム方向を（例えば、基地局１０５またはＵＥ１１５などの受信デバイスによって）識別するために使用され得る。特定の受信デバイスに関連付けられたデータ信号などのいくつかの信号は、単一のビーム方向（例えば、ＵＥ１１５などの受信デバイスに関連付けられた方向）に基地局１０５によって送信され得る。いくつかの例では、単一のビーム方向に沿った送信に関連付けられたビーム方向は、異なるビーム方向に送信された信号に少なくとも部分的に基づいて決定され得る。例えば、ＵＥ１１５は、異なる方向に基地局１０５によって送信された信号のうちの１つまたは複数を受信し得、ＵＥ１１５は、それが最高の信号品質で受信したか、さもなければ許容可能な信号品質で受信した信号のインジケーションを基地局１０５に報告し得る。これらの技法は、基地局１０５によって１つまたは複数の方向に送信される信号に関して説明されるが、ＵＥ１１５は、（例えば、ＵＥ１１５による後続の送信または受信のためのビーム方向を識別するために）異なる方向に複数回信号を送信するために、または（例えば、受信デバイスにデータを送信するために）単一の方向に信号を送信するために、同様の技法を用い得る。
【００５４】
[0063]受信デバイス（例えば、ｍｍＷ受信デバイスの例であり得るＵＥ１１５）は、同期信号、基準信号、ビーム選択信号、または他の制御信号など、基地局１０５から様々な信号を受信するとき、複数の受信ビームを試み得る。例えば、受信デバイスは、異なるアンテナサブアレイを介して受信することによって、異なるアンテナサブアレイに従って受信された信号を処理することによって、アンテナアレイの複数のアンテナ素子において受信される信号に適用される異なる受信ビームフォーミング重みセットに従って受信することによって、またはアンテナアレイの複数のアンテナ素子において受信される信号に適用される異なる受信ビームフォーミング重みセットに従って受信された信号を処理することによって、複数の受信方向を試み得、これらのうちのいずれもが、異なる受信ビームまたは受信方向に従って「リッスンする」と呼ばれ得る。いくつかの例では、受信デバイスは、（例えば、データ信号を受信するとき）単一のビーム方向に沿って受信するために、単一の受信ビームを使用し得る。単一の受信ビームは、異なる受信ビーム方向に従ってリッスンすることに少なくとも部分的に基づいて決定されたビーム方向（例えば、複数のビーム方向に従ってリッスンすることに少なくとも部分的に基づいて、最高の信号強度、最高の信号対雑音比、またはさもなければ許容可能な信号品質を有すると決定されたビーム方向）に位置合わせされ得る。
【００５５】
[0064]いくつかのケースでは、基地局１０５またはＵＥ１１５のアンテナは、ＭＩＭＯ動作、あるいは送信または受信ビームフォーミングをサポートし得る、１つまたは複数のアンテナアレイ内に位置し得る。例えば、１つまたは複数の基地局アンテナまたはアンテナアレイは、アンテナタワーなどのアンテナアセンブリにおいてコロケートされ得る。いくつかのケースでは、基地局１０５に関連付けられたアンテナまたはアンテナアレイは、多様な地理的ロケーションに位置し得る。基地局１０５は、基地局１０５がＵＥ１１５との通信のビームフォーミングをサポートするために使用し得るアンテナポートのいくつかの行および列を有するアンテナアレイを有し得る。同様に、ＵＥ１１５は、様々なＭＩＭＯまたはビームフォーミング動作をサポートし得る１つまたは複数のアンテナアレイを有し得る。
【００５６】
[0065]いくつかのケースでは、ワイヤレス通信システム１００は、階層プロトコルスタックに従って動作するパケットベースのネットワークであり得る。ユーザプレーンでは、ベアラまたはパケットデータコンバージェンスプロトコル（ＰＤＣＰ）レイヤにおける通信は、ＩＰベースであり得る。無線リンク制御（ＲＬＣ）レイヤは、いくつかのケースでは、論理チャネル上で通信するために、パケットのセグメント化およびリアセンブリを実行し得る。媒体アクセス制御（ＭＡＣ）レイヤは、優先処理およびトランスポートチャネルへの論理チャネルの多重化を実行し得る。ＭＡＣレイヤはまた、ＭＡＣレイヤにおいて再送信を提供するためにＨＡＲＱを使用して、リンク効率を改善し得る。制御プレーンでは、無線リソース制御（ＲＲＣ）プロトコルレイヤは、ユーザプレーンデータのための無線ベアラをサポートする、ＵＥ１１５と基地局１０５またはコアネットワーク１３０との間のＲＲＣ接続の確立、構成、および維持を提供し得る。物理（ＰＨＹ）レイヤにおいて、トランスポートチャネルは、物理チャネルにマッピングされ得る。
【００５７】
[0066]いくつかのケースでは、ＵＥ１１５および基地局１０５は、データが成功裏に受信される可能性を増大させるために、データの再送信をサポートし得る。ＨＡＲＱフィードバックは、データが通信リンク１２５上で正しく受信される可能性を増大させる１つの技法である。ＨＡＲＱは、（例えば、巡回冗長検査（ＣＲＣ）を使用した）誤り検出、前方誤り訂正（ＦＥＣ）、および（例えば、自動再送要求（ＡＲＱ）を使用した）再送信の組合せを含み得る。ＨＡＲＱは、劣悪な無線条件（例えば、信号対雑音条件）でのＭＡＣレイヤにおけるスループットを改善し得る。いくつかのケースでは、ワイヤレスデバイスは、同一スロットＨＡＲＱフィードバックをサポートし得、ここで、デバイスは、特定のスロットにおける前のシンボル中に受信されたデータに対して、そのスロットにおいてＨＡＲＱフィードバックを提供し得る。他のケースでは、デバイスは、後続のスロットにおいて、又は何らかの他の時間間隔に従って、ＨＡＲＱフィードバックを提供し得る。
【００５８】
[0067]ＬＴＥまたはＮＲにおける時間間隔は、基本時間単位の倍数で表され得、これは、例えば、Ｔｓ＝１／３０，７２０，０００秒のサンプリング期間を指し得る。通信リソースの時間間隔は、１０ミリ秒（ｍｓ）の持続時間をそれぞれ有する無線フレームに従って編成され得、ここで、フレーム期間は、Ｔｆ＝３０７，２００Ｔｓとして表され得る。無線フレームは、０から１０２３までの範囲にわたるシステムフレーム番号（ＳＦＮ）によって識別され得る。各フレームは、０から９までの番号が付けられた１０個のサブフレームを含み得、各サブフレームは、１ｍｓの持続時間を有し得る。サブフレームは、０．５ｍｓの持続時間をそれぞれ有する２つのスロットにさらに分割され得、各スロットは、（例えば、各シンボル期間の先頭に追加されたサイクリックプレフィックスの長さに依存して）６個または７個の変調シンボル期間を含み得る。サイクリックプレフィックスを除き、各シンボル期間は、２０４８個のサンプリング期間を含み得る。いくつかのケースでは、サブフレームは、ワイヤレス通信システム１００の最小スケジューリング単位であり得、ＴＴＩと呼ばれ得る。他のケースでは、ワイヤレス通信システム１００の最小スケジューリング単位は、サブフレームより短くあり得るか、または（例えば、ｓＴＴＩのバーストにおいて、またはｓＴＴＩを使用する選択されたコンポーネントキャリアにおいて）動的に選択され得る。
【００５９】
[0068]いくつかのワイヤレス通信システムでは、スロットは、１つまたは複数のシンボルを含む複数のミニスロットにさらに分割され得る。いくつかの事例では、ミニスロットのシンボルまたはミニスロットは、スケジューリングの最小単位であり得る。各シンボルは、例えば、動作の周波数帯域またはサブキャリア間隔に依存して持続時間が異なり得る。さらに、いくつかのワイヤレス通信システムは、複数のスロットまたはミニスロットが共に集約され、ＵＥ１１５と基地局１０５との間の通信のために使用されるスロットアグリゲーションをインプリメントし得る。
【００６０】
[0069]「キャリア」という用語は、通信リンク１２５上の通信をサポートするための定義された物理レイヤ構造を有する無線周波数スペクトルリソースのセットを指す。例えば、通信リンク１２５のキャリアは、所与の無線アクセス技術のための物理レイヤチャネルに従って動作される無線周波数スペクトル帯域の一部分を含み得る。各物理レイヤチャネルは、ユーザデータ、制御情報、または他のシグナリングを搬送し得る。キャリアは、予め定義された周波数チャネル（例えば、発展型ユニバーサル地上無線アクセスネットワーク（Ｅ−ＵＴＲＡ）絶対無線周波数チャネル番号（ＥＡＲＦＣＮ：E-UTRA absolute radio frequency channel number））に関連付けられ得、ＵＥ１１５による発見のためのチャネルラスタに従って位置付けられ得る。キャリアは、（例えば、ＦＤＤモードでは）ダウンリンクもしくはアップリンクであり得、または（例えば、ＴＤＤモードでは）ダウンリンクおよびアップリンク通信を搬送するように構成され得る。いくつかの例では、キャリア上で送信される信号波形は、（例えば、ＯＦＤＭまたは離散フーリエ変換拡散ＯＦＤＭ（ＤＦＴ−ｓ−ＯＦＤＭ）などのマルチキャリア変調（ＭＣＭ）技法を使用して）複数のサブキャリアから構成され得る。
【００６１】
[0070]キャリアの編成構造は、無線アクセス技術（例えば、ＬＴＥ、ＬＴＥ−Ａ、ＬＴＥ−Ａ  Ｐｒｏ、ＮＲなど）によって異なり得る。例えば、キャリア上の通信は、ＴＴＩまたはスロットに従って編成され得、それらの各々は、ユーザデータならびにユーザデータの復号をサポートするための制御情報またはシグナリングを含み得る。キャリアはまた、専用捕捉シグナリング（dedicated acquisition signaling）（例えば、同期信号またはシステム情報など）と、キャリアのための動作を調整する制御シグナリングとを含み得る。いくつかの例では（例えば、キャリアアグリゲーション構成において）、キャリアはまた、他のキャリアのための動作を調整する捕捉シグナリングまたは制御シグナリングを有し得る。
【００６２】
[0071]物理チャネルは、様々な技法に従ってキャリア上で多重化され得る。物理制御チャネルおよび物理データチャネルは、例えば、時分割多重化（ＴＤＭ）技法、周波数分割多重化（ＦＤＭ）技法、またはハイブリッドＴＤＭ−ＦＤＭ技法を使用して、ダウンリンクキャリア上で多重化され得る。いくつかの例では、物理制御チャネルにおいて送信される制御情報は、カスケード方式で異なる制御領域間で（例えば、共通制御領域または共通探索空間と、１つまたは複数のＵＥ固有制御領域またはＵＥ固有探索空間との間で）分散され得る。
【００６３】
[0072]キャリアは、無線周波数スペクトルの特定の帯域幅に関連付けられ得、いくつかの例では、キャリア帯域幅は、キャリアまたはワイヤレス通信システム１００の「システム帯域幅」と呼ばれ得る。例えば、キャリア帯域幅は、特定の無線アクセス技術のキャリアのためのいくつかの所定の帯域幅（例えば、１．４、３、５、１０、１５、２０、４０、または８０ＭＨｚ）のうちの１つであり得る。いくつかの例では、各サービス提供されるＵＥ１１５は、キャリア帯域幅の一部分または全てを介して動作するために構成され得る。他の例では、いくつかのＵＥ１１５は、キャリア内の予め定義された部分または範囲（例えば、サブキャリアまたはリソースブロック（ＲＢ）のセット）に関連付けられた狭帯域プロトコルタイプを使用する動作（例えば、狭帯域プロトコルタイプの「インバンド」展開）のために構成され得る。
【００６４】
[0073]ＭＣＭ技法を用いるシステムでは、リソース要素は、１つのシンボル期間（例えば、１つの変調シンボルの持続時間）と１つのサブキャリアから構成され得、ここで、シンボル期間とサブキャリア間隔は、逆相関する（inversely related）。各リソース要素によって搬送されるビットの数は、変調方式（例えば、変調方式の次数）に依存し得る。したがって、ＵＥ１１５が受信するリソース要素が多いほど、および、変調方式の次数が高いほど、ＵＥ１１５のためのデータレートはより高くなり得る。ＭＩＭＯシステムでは、ワイヤレス通信リソースは、無線周波数スペクトルリソースと、時間リソースと、空間リソース（例えば、空間レイヤ）との組合せを指し得、複数の空間レイヤの使用は、ＵＥ１１５との通信のためのデータレートをさらに増大させ得る。
【００６５】
[0074]ワイヤレス通信システム１００のデバイス（例えば、基地局１０５またはＵＥ１１５）は、特定のキャリア帯域幅上の通信をサポートするハードウェア構成を有し得るか、またはキャリア帯域幅のセットのうちの１つの上での通信をサポートするように構成可能であり得る。いくつかの例では、ワイヤレス通信システム１００は、１つより多くの異なるキャリア帯域幅に関連付けられたキャリアを介した同時通信をサポートし得る基地局１０５および／またはＵＥを含み得る。
【００６６】
[0075]ワイヤレス通信システム１００は、複数のセルまたはキャリア上でのＵＥ１１５との通信、すなわち、キャリアアグリゲーションまたはマルチキャリア動作と呼ばれ得る特徴をサポートし得る。ＵＥ１１５は、キャリアアグリゲーション構成に従って、複数のダウンリンクコンポーネントキャリアと、１つまたは複数のアップリンクコンポーネントキャリアとで構成され得る。キャリアアグリゲーションは、ＦＤＤコンポーネントキャリアとＴＤＤコンポーネントキャリアとの両方で使用され得る。
【００６７】
[0076]いくつかのケースでは、ワイヤレス通信システム１００は、拡張されたコンポーネントキャリア（ｅＣＣ）を利用し得る。ｅＣＣは、より広いキャリアもしくは周波数チャネル帯域幅、より短いシンボル持続時間、より短いＴＴＩ持続時間、または修正された制御チャネル構成を含む、１つまたは複数の特徴によって特徴付けられ得る。いくつかのケースでは、ｅＣＣは、（例えば、複数のサービングセルが準最適のまたは理想的でないバックホールリンクを有するとき）デュアルコネクティビティ構成またはキャリアアグリゲーション構成に関連付けられ得る。ｅＣＣはまた、（例えば、１つより多くのオペレータがスペクトルを使用することを許可されている）共有スペクトルまたはアンライセンススペクトルにおける使用のために構成され得る。広いキャリア帯域幅によって特徴付けられるｅＣＣは、キャリア帯域幅全体をモニタすることが可能でないか、またはさもなければ、（例えば、電力を節約するために）制限されたキャリア帯域幅を使用するように構成されたＵＥ１１５によって利用され得る１つまたは複数のセグメントを含み得る。
【００６８】
[0077]いくつかのケースでは、ｅＣＣは、他のコンポーネントキャリアとは異なるシンボル持続時間を利用し得、これは、他のコンポーネントキャリアのシンボル持続時間と比較して、低減されたシンボル持続時間の使用を含み得る。より短いシンボル持続時間は、隣接するサブキャリア間の増大された間隔に関連付けられ得る。ｅＣＣを利用するＵＥ１１５または基地局１０５などのデバイスは、低減されたシンボル持続時間（例えば、１６．６７マイクロ秒）で（例えば、２０、４０、６０、８０ＭＨｚなどのキャリア帯域幅または周波数チャネルに従って）広帯域信号を送信し得る。ｅＣＣにおけるＴＴＩは、１つまたは複数のシンボル期間から構成され得る。いくつかのケースでは、ＴＴＩ持続時間（すなわち、ＴＴＩにおけるシンボル期間の数）は、可変であり得る。
【００６９】
[0078]ＮＲシステムなどのワイヤレス通信システムは、とりわけ、ライセンス、共有、およびアンライセンススペクトル帯域の任意の組合せを利用し得る。ｅＣＣシンボル持続時間およびサブキャリア間隔の柔軟性は、複数のスペクトルにわたるｅＣＣの使用を可能にし得る。いくつかの例では、ＮＲ共有スペクトルは、特に、リソースの動的な垂直（例えば、周波数にわたる）および水平（例えば、時間にわたる）の共有を通じて、スペクトル利用およびスペクトル効率を増大させ得る。
【００７０】
[0079]いくつかのワイヤレス通信システム１００では、基地局１０５およびＵＥ１１５は、ｓＴＴＩと組み合わせてキャリアアグリゲーションをインプリメントし得る。ワイヤレスデバイスは、異なる動作モードでコンポーネントキャリアを利用し得る。例えば、基地局１０５は、ＴＤＤ、ＬＡＡ、またはｅＬＡＡモード、あるいはこれらの組合せを使用して、ダウンリンク上で送信し得る。これらの動作モードは、ＦＤＤモードよりも多数のコンポーネントキャリアをキャリアアグリゲーションのためにサポートし得る。しかしながら、ＦＤＤモードは、他の動作モードに比べて、より短いｓＴＴＩとの互換性があり得るので、ＵＥ１１５は、ＦＤＤモードを使用してアップリンク上で送信し得る。例えば、ＦＤＤコンポーネントキャリアは、ＦＳ１および長さが２個のＯＦＤＭシンボルであるｓＴＴＩをサポートし得る。対照的に、ＴＤＤコンポーネントキャリアは、ＦＳ２および長さが７個のＯＦＤＭシンボルであるｓＴＴＩをサポートし得、ＬＡＡまたはｅＬＡＡコンポーネントキャリアは、ＦＳ３および長さが１４個のＯＦＤＭシンボルであるＴＴＩをサポートし得る。他のケースでは、異なるｓＴＴＩは、可変または未定義の長さを有し得る。例えば、ＦＤＤコンポーネントキャリアおよびＴＤＤコンポーネントキャリアは、任意の数のＯＦＤＭシンボル（例えば、動的に決定されたｓＴＴＩ長）を有するｓＴＴＩをサポートし得、ここで、ＦＤＤコンポーネントキャリアのためのｓＴＴＩは、ＴＤＤコンポーネントキャリアのためのｓＴＴＩが及ぶシンボルの数より少ない数のシンボルに及ぶ。
【００７１】
[0080]低減されたＨＡＲＱレイテンシと共に、拡張されたダウンリンクスループットをサポートするために、基地局１０５およびＵＥ１１５は、修正されたＨＡＲＱタイムラインをインプリメントし得る。基地局１０５およびＵＥ１１５は、ダウンリンクのためのｓＴＴＩではなく、アップリンクのためのｓＴＴＩに基づくダウンリンク送信に関連付けられたＨＡＲＱタイミングを識別し得る。基地局１０５は、（例えば、７または１４シンボルｓＴＴＩまたはＴＴＩおよびＳＣｅｌｌコンポーネントキャリアを使用して）ＦＳ２またはＦＳ３コンポーネントキャリア上で、ＵＥ１１５にダウンリンク送信を送り得る。ＵＥ１１５は、ダウンリンク送信を受信し得、ダウンリンク送信に応答して、ダウンリンクＨＡＲＱ  ＡＣＫ／ＮＡＣＫメッセージを送り得る。例えば、ＵＥ１１５は、ＡＣＫを送るべきか、あるいはＮＡＣＫを送るべきかを決定するために、ＨＡＲＱプロセスを実行し得、（例えば、２シンボルｓＴＴＩおよびＰＣｅｌｌまたはＰＳＣｅｌｌコンポーネントキャリアを使用して）アップリンクのためのＦＳ１コンポーネントキャリア上でダウンリンクＨＡＲＱ  ＡＣＫ／ＮＡＣＫを送り得る。ＵＥ１１５は、識別されたＨＡＲＱタイミングに従って、基地局１０５にダウンリンクＨＡＲＱ  ＡＣＫ／ＮＡＣＫを送り得る。このようにして、基地局１０５は、ダウンリンク送信のためにより長いＴＴＩまたはｓＴＴＩを利用し得、増大されたキャリアアグリゲーションおよびスループットをサポートし、一方、ＵＥ１１５は、より短いｓＴＴＩに基づくより速いタイムフレームに従って、ＨＡＲＱフィードバックを送り得、低減されたレイテンシをサポートする。
【００７２】
[0081]図２は、本開示の態様による、ｓＴＴＩ動作におけるダウンリンクスループットの向上のためのキャリアアグリゲーションをサポートするワイヤレス通信システム２００の例を例示する。ワイヤレス通信システム２００は、基地局１０５−ａおよびＵＥ１１５−ａを含み得、これらは、図１に関して説明されたような基地局１０５およびＵＥ１１５の例であり得る。基地局１０５−ａは、地理的カバレッジエリア１１０−ａにサービス提供し得、これは、図１に関して説明された対応するエリアの例であり得る。基地局１０５−ａは、第１のコンポーネントキャリアを使用して、ダウンリンク２０５上でＵＥ１１５−ａに送信し得、ＵＥ１１５−ａは、第２のコンポーネントキャリアを使用して、アップリンク２１０上で基地局１０５−ａに送信し得る。いくつかのケースでは、ワイヤレス通信システム２００は、基地局１０５−ａとＵＥ１１５−ａとの間の改善されたスループットをサポートするために、修正されたダウンリンクＨＡＲＱタイムラインをインプリメントし得る。
【００７３】
[0082]（例えば、図１に関して）上記で説明されたように、基地局１０５−ａおよびＵＥ１１５−ａは、キャリアアグリゲーションを使用して通信し得る。例えば、ＵＥ１１５−ａは、１つまたは複数のダウンリンクコンポーネントキャリア上でダウンリンク送信２１５を受信し得、ＵＥ１１５−ａは、１つまたは複数のアップリンクコンポーネントキャリア上のアップリンク２１０上で送信し得る。加えて、ワイヤレス通信システム２００は、ｓＴＴＩ動作をサポートし得、ここで、基地局１０５−ａおよびＵＥ１１５−ａは、ＴＴＩより短い間隔で通信を送信および受信し得る。例えば、ＴＴＩは、サブフレーム（例えば、１４個のＯＦＤＭシンボル）に及び得、一方、ｓＴＴＩは、より短い時間長（例えば、２個、３個、または７個のＯＦＤＭシンボル、あるいはＴＴＩより短いその他任意の長さ）に及び得る。
【００７４】
[0083]いくつかのケースでは、基地局１０５−ａは、１つまたは複数のＰＵＣＣＨグループにサービス提供し得、ここで、各ＰＵＣＣＨグループは、アップリンク送信のためのセルに対応する。例えば、第１のＰＵＣＣＨグループ内で動作するＵＥ１１５は、第１のＰＣｅｌｌまたはＰＳＣｅｌｌにアップリンク送信をマッピングし得、一方、第２のＰＵＣＣＨグループ内で動作するＵＥ１１５は、異なるＰＣｅｌｌまたはＰＳＣｅｌｌにアップリンク送信をマッピングし得る。基地局１０５−ａおよびＵＥ１１５は、ＰＵＣＣＨグループのコンポーネントキャリアにわたって、同じ長さのアップリンクＴＴＩまたはｓＴＴＩ、および同じ長さのダウンリンクＴＴＩまたはｓＴＴＩを利用し得る。例えば、ＰＵＣＣＨグループのためのいくつかの潜在的な｛ダウンリンク、アップリンク｝ｓＴＴＩ長構成は、｛２，２｝、｛２，７｝、および｛７，７｝を含み、ここで、ダウンリンクおよびアップリンクｓＴＴＩ長は、ＯＦＤＭシンボル単位で測定される（measured in OFDM symbols）。このようにして、ｓＴＴＩ長構成｛２，７｝を有するＰＵＣＣＨグループ内のＵＥ１１５−ａは、選択されたコンポーネントキャリアにかかわらず、常に、ダウンリンク上で２シンボルｓＴＴＩにおいて送信を受信し、アップリンク上で７シンボルｓＴＴＩを使用して送信し得る。２シンボルｓＴＴＩ構成は、（例えば、ｓＴＴＩが、サブフレーム内の複数のスロットにまたがらないように）２シンボルｓＴＴＩと３シンボルｓＴＴＩの両方を含み得ることに留意されたい。
【００７５】
[0084]基地局１０５−ａおよびＵＥ１１５−ａは、ＦＤＤ、ＴＤＤ、ＬＡＡ、またはｅＬＡＡモードで動作し得る。同様に、基地局１０５−ａおよびＵＥ１１５−ａは、（例えば、ＦＤＤモードでは）ＦＳ１、（例えば、ＴＤＤモードでは）ＦＳ２、または（例えば、ＬＡＡモードまたはｅＬＡＡモードでは）ＦＳ３を使用して、コンポーネントキャリア上で信号を送信および受信し得る。いくつかのケースでは、ＦＤＤモードで動作することは、ＴＤＤ、ＬＡＡ、またはｅＬＡＡモードよりも短いｓＴＴＩをサポートし得る。例えば、ＦＤＤモードで動作するワイヤレスデバイスは、２シンボルｓＴＴＩ構成を使用して送信を送信および受信し得、一方、ＴＤＤ、ＬＡＡ、またはｅＬＡＡモードで動作するワイヤレスデバイスは、７シンボルｓＴＴＩまたは１４シンボルＴＴＩを使用して送信および受信し得る。しかしながら、ＴＤＤ、ＬＡＡ、およびｅＬＡＡモードは、ＦＤＤモードよりも多数のコンポーネントキャリアのアグリゲーションをサポートし得る。したがって、ワイヤレス通信システム２００は、コンポーネントキャリアの数とｓＴＴＩ長との間のトレードオフを経験し得る。
【００７６】
[0085]システムスループットを向上させるために、ワイヤレス通信システム２００は、ＨＡＲＱフィードバックにおけるレイテンシを低減させるために、ＦＳ１コンポーネントキャリアと、ＦＳ２またはＦＳ３コンポーネントキャリアとの両方の利益を利用し得る。基地局１０５−ａは、ＦＳ１コンポーネントキャリアと、ＦＳ２またはＦＳ３コンポーネントキャリアとの両方を有するＰＵＣＣＨグループを含み得る。このようなＰＵＣＣＨグループの場合、基地局１０５−ａは、ＦＳ２またはＦＳ３コンポーネントキャリアよりも短いｓＴＴＩで、ＦＳ１コンポーネントキャリアを構成し得る。例えば、ワイヤレス通信システム２００は、ＦＤＤおよびＴＤＤキャリアアグリゲーションをサポートし得、ここで、１つのＰＵＣＣＨグループは、２ＯＦＤＭシンボルｓＴＴＩを用いて構成された１つまたは複数のＦＳ１コンポーネントキャリアと、７ＯＦＤＭシンボルｓＴＴＩを用いて構成された１つまたは複数のＦＳ２コンポーネントキャリアとを含み得る。キャリアの数を増大させることによってスループットを改善するために、基地局１０５−ａは、ＴＤＤをインプリメントする７ＯＦＤＭシンボルｓＴＴＩにおいてダウンリンク送信２１５を送信し得る。このダウンリンク送信２１５に応答して、ダウンリンクＨＡＲＱフィードバックレイテンシを低減させるために、ＵＥ１１５−ａは、ＦＤＤをインプリメントする（例えば、より長い７ＯＦＤＭシンボルｓＴＴＩではなく）２ＯＦＤＭシンボルｓＴＴＩにおいて、基地局１０５−ａにダウンリンクＨＡＲＱ  ＡＣＫ／ＮＡＣＫ２２０を送り得る。このようなｓＴＴＩ構成は、｛７，２｝構成と呼ばれ得る。いくつかのケースでは、ワイヤレス通信システム２００は、ダウンリンクＨＡＲＱスケジューリングのために｛７，２｝構成を利用し得、物理アップリンク共有チャネル（ＰＵＳＣＨ）スケジューリングなどの他のスケジューリングのために他の構成（例えば、｛７，７｝）を利用し得る。加えて、基地局１０５−ａおよびＵＥ１１５−ａは、より短いｓＴＴＩ（例えば、２シンボルｓＴＴＩ）によって定義されるＨＡＲＱタイムラインを用いて動作し得る。すなわち、ｎ＋４ターンアラウンド時間を組み込むＨＡＲＱタイムラインの場合、ＵＥ１１５−ａは、４番目の７シンボルｓＴＴＩにおいてではなく、ダウンリンク送信２１５に続いて４番目の２シンボルｓＴＴＩにおいてダウンリンクＨＡＲＱ  ＡＣＫ／ＮＡＣＫ２２０を送信し得る。
【００７７】
[0086]ＵＥ１１５−ａは、ＰＵＣＣＨにおいてダウンリンクＨＡＲＱ  ＡＣＫ／ＮＡＣＫ２２０を送信し得る。ＰＣｅｌｌおよびＰＳＣｅｌｌは、ＰＵＣＣＨリソースを含み得、−ＳＣｅｌｌは、それを含むことができない−ので、ＰＣｅｌｌコンポーネントキャリア、ＰＳＣｅｌｌコンポーネントキャリア、または両方は、より速いＨＡＲＱターンアラウンド時間のために２ＯＦＤＭシンボルｓＴＴＩをサポートし得る。いくつかのケースでは、このより短いｓＴＴＩをサポートするために、ＰＣｅｌｌコンポーネントキャリア、ＰＳＣｅｌｌコンポーネントキャリア、または両方は、アップリンク２１０上でＦＤＤモードにおいて動作するＦＳ１コンポーネントキャリアの例であり得る。これらのケースでは、アップリンク２１０におけるＳＣｅｌｌコンポーネントキャリアは、より短いｓＴＴＩ（例えば、２シンボル）を有するＦＳ１コンポーネントキャリアまたはより長いｓＴＴＩ（例えば、７シンボル）を有するＦＳ２コンポーネントキャリアのいずれかの例であり得る。ＵＥ１１５−ａは、これらのコンポーネントキャリアのうちの任意のものの上で、アップリンク共有チャネル（ＵＬ−ＳＣＨ）送信を送信し得る。
【００７８】
[0087]いくつかのケースでは、ＨＡＲＱタイムラインは、ＵＥ１１５の能力に基づいてさらに決定され得る。例えば、ワイヤレス通信システム２００は、（例えば、より短いｓＴＴＩに基づく）より速いＨＡＲＱタイミングを、ＵＥ１１５−ａがこのより速いＨＡＲＱタイミングを管理および処理することできる場合に可能にし得る。したがって、いくつかのケースでは、ＵＥ１１５の能力または制限は、ダウンリンクＨＡＲＱタイミングに影響を及ぼし得る。ＨＡＲＱタイミングに影響を及ぼし得るいくつかの例とのなるＵＥ能力またはパラメータは、限定はしないが、トランスポートブロックサイズ（ＴＢＳ）、レイヤの数、データまたは制御チャネルのための基準信号タイプ、物理ダウンリンク制御チャネル（ＰＤＣＣＨ）の長さ、短縮されたＰＤＣＣＨの長さ、ブラインド復号の数、ＰＤＣＣＨまたは短縮されたＰＤＣＣＨにおける探索空間サイズなどを含む。
【００７９】
[0088]いくつかのケースでは、ワイヤレス通信システム２００は、これらまたは他のＵＥ能力の任意の組合せに基づいて、緩和されたＨＡＲＱタイミング（例えば、２シンボルｓＴＴＩを有するＰＣｅｌｌコンポーネントキャリア上で使用されるｎ＋４の代わりにｎ＋６）をインプリメントし得る。一例では、ＵＥ１１５によってサポートされるＨＡＲＱタイミングは、コンポーネントキャリア構成に基づき得る。基地局１０５−ａは、上記で説明されたように、ＵＥ１１５−ａのためのいくつかのコンポーネントキャリアを構成し得る。ＵＥ１１５−ａは、ある特定の長さのＴＴＩまたはｓＴＴＩで構成されたコンポーネントキャリアの数（例えば、より長い長さのＴＴＩまたはｓＴＴＩで構成されたコンポーネントキャリアの数）に基づいてか、ＵＥ１１５−ａのために構成されたコンポーネントキャリアの総数に基づいてか、またはこれらの何らかの組合せに基づいて、そのＨＡＲＱタイミング能力を決定し得る。ＵＥ１１５−ａは、このＵＥ能力のインジケーションを基地局１０５−ａに送信し得る。第１の例では、ＵＥ１１５−ａは、コンポーネントキャリア構成に基づいて、サポートされるダウンリンクＨＡＲＱターンアラウンド時間のインジケーションを送信し得る。第２の例では、ＵＥ１１５−ａは、異なるダウンリンクＨＡＲＱターンアラウンド時間をサポートするための規則またはパラメータのインジケーションを送信し得る。すなわち、ＵＥ１１５−ａは、ＵＥ１１５−ａのために構成されたコンポーネントキャリアのしきい値数（例えば、構成されたコンポーネントキャリアの総数、または、ある特定の長さのＴＴＩまたはｓＴＴＩを有するコンポーネントキャリアの数）を示し得、それを上回ると、ＵＥ１１５−ａは、より速いダウンリンクＨＡＲＱターンアラウンド時間をサポートし得、基地局１０５−ａは、示された規則に基づいて、コンポーネントキャリアを構成するとき、ダウンリンクＨＡＲＱターンアラウンドタイミングを決定し得る。
【００８０】
[0089]いくつかのケースでは、ダウンリンクＨＡＲＱタイミングは、ＵＥ能力に影響を及ぼし得る。例えば、ＵＥ１１５−ａがそのダウンリンクＨＡＲＱターンアラウンド時間を低減させる場合、ＵＥ１１５−ａは、上記のＵＥ能力の任意の組合せ、またはその他任意の関連するＵＥ能力に対して、１つまたは複数の制限を導入し得る。追加または代替として、修正されたＨＡＲＱタイミング、ＵＥ能力、または両方は、ＵＥ１１５−ａによってサポートされる最大タイミングアドバンス（ＴＡ）に影響を及ぼし得る。いくつかの例では、ＵＥ１１５−ａは、基地局１０５−ａに、１つまたは複数のＵＥ能力またはＴＡのインジケーションを明示的にシグナリングし得、基地局１０５−ａは、スケジューリングおよびダウンリンクＨＡＲＱ  ＡＣＫ／ＮＡＣＫ２２０の受信中に、この報告された情報を利用し得る。
【００８１】
[0090]ワイヤレス通信システム２００は、ＦＤＤおよびＬＡＡまたはｅＬＡＡキャリアアグリゲーションのために、同様の技法をサポートし得る。例えば、１つのＰＵＣＣＨグループは、２ＯＦＤＭシンボルｓＴＴＩを用いて構成された１つまたは複数のＦＳ１コンポーネントキャリアと、１４ＯＦＤＭシンボルＴＴＩを用いて構成された１つまたは複数のＦＳ３コンポーネントキャリアとを含み得る。ＦＳ３送信機会（ＴｘＯＰ）は、全てのダウンリンクサブフレーム、全てのアップリンクサブフレーム、またはアップリンクサブフレームの一部分によって後続されるダウンリンクサブフレームの一部分を用いて構成され得る。いくつかのケースでは、基地局１０５−ａは、サブフレームの分割を実行し得、１４シンボルＴＴＩを（例えば、それぞれ７個のＯＦＤＭシンボルの）２つのスロットに分け得る。このようにして、ＦＤＤおよびＬＡＡまたはｅＬＡＡモードをインプリメントする基地局１０５−ａおよびＵＥ１１５−ａは、｛１４，２｝または｛７，２｝構成を利用し得る。これらのケースでは、ＰＣｅｌｌコンポーネントキャリア、ＰＳＣｅｌｌコンポーネントキャリア、または両方は、ＦＤＤモードで動作するＦＳ１キャリアの例であり得−したがって、アップリンク２１０上で２つのシンボル送信およびタイムラインをサポートし得−、一方、ＳＣｅｌｌコンポーネントキャリアは、ＦＳ１コンポーネントキャリア、ＦＳ３コンポーネントキャリア、あるいはＦＳ２コンポーネントキャリアの例であり得る。
【００８２】
[0091]図３は、本開示の態様による、ｓＴＴＩ動作におけるダウンリンクスループットの向上のためのキャリアアグリゲーションをサポートするダウンリンクＨＡＲＱタイミング３００の例を例示する。ダウンリンクＨＡＲＱタイミング３００は、図１および図２を参照して上記で説明されたように、ワイヤレス通信システム１００または２００によってインプリメントされ得る。例えば、基地局１０５は、タイミング構造３０５−ａに従ってダウンリンク送信を送信し得、一方、ＵＥ１１５は、タイミング構造３０５−ｂに従ってアップリンク送信を送信し得る。ＦＤＤおよびＴＤＤ、ＬＡＡ、またはｅＬＡＡキャリアアグリゲーションをインプリメントすることによって、基地局１０５およびＵＥ１１５は、ＨＡＲＱフィードバックレイテンシを低減させながら、ダウンリンク信号スループットを増大させ得る。
【００８３】
[0092]例示されるように、基地局１０５は、７個のＯＦＤＭシンボルの長さを有するｓＴＴＩ３１０−ａを使用して、ダウンリンクにおいて動作し得る。基地局１０５は、ＴＤＤモードで、ＦＳ２  ＳＣｅｌｌコンポーネントキャリア上でＵＥ１１５に送信し得る。ＴＤＤモードをインプリメントすることは、ＦＤＤモードよりも大きいキャリアアグリゲーションを可能にし得る。７シンボルｓＴＴＩに関して例示および説明されているが、基地局１０５は、追加または代替として、ＬＡＡまたはｅＬＡＡモードを使用するＦＳ３  ＳＣｅｌｌコンポーネントキャリア上で、１４シンボルＴＴＩまたは分割ＴＴＩ（split TTIs）を使用して、ダウンリンクにおいて動作し得る。
【００８４】
[0093]ＴｘＯＰ３１５−ａにおいて、基地局１０５は、タイミング構造３０５−ａおよびｓＴＴＩ３１０−ａを使用して、ＵＥ１１５にダウンリンク上で送信を送り得る。ＵＥ１１５は、基地局１０５からダウンリンク送信（例えば、物理ダウンリンク共有チャネル（ＰＤＳＣＨ）送信）を受信し得、ＨＡＲＱ応答を決定し得る。例えば、ＵＥ１１５がダウンリンク送信を成功裏に受信および復号した場合、ＵＥ１１５は、基地局１０５にアップリンク上でダウンリンクＨＡＲＱ  ＡＣＫ応答を送ることを決定し得る。代替として、ＵＥ１１５がダウンリンク送信を成功裏に受信または復号しなかった場合、ＵＥ１１５は、アップリンク上でダウンリンクＨＡＲＱ  ＮＡＣＫ応答を送ることを決定し得る。いずれのケースでも、ＵＥ１１５は、タイミング構造３０５−ｂに従って、ダウンリンクＨＡＲＱ  ＡＣＫ／ＮＡＣＫメッセージを送信し得る。例えば、ＵＥ１１５は、ＰＣｅｌｌコンポーネントキャリアまたはＰＳＣｅｌｌコンポーネントキャリアのＰＵＣＣＨリソースにおいて、ダウンリンクＨＡＲＱ  ＡＣＫ／ＮＡＣＫを送信し得る。改善されたＨＡＲＱタイミングをサポートするために、ＰＣｅｌｌコンポーネントキャリア、ＰＳＣｅｌｌコンポーネントキャリア、または両方は、ＦＤＤモードで動作するＦＳ１コンポーネントキャリアの例であり得る。ＦＳ１コンポーネントキャリアは、２ＯＦＤＭシンボルｓＴＴＩ３１０−ｂを用いて構成され得る。例示されるように、いくつかのケースでは、ＦＳ１タイミング構造３０５−ｂは、２ＯＦＤＭシンボルｓＴＴＩ３１０−ｂと３ＯＦＤＭシンボルｓＴＴＩ３１０−ｃとの混合を含み得、これにより、どのｓＴＴＩ３１０も複数のスロットにまたがっていない（例えば、タイミング構造３０５−ｂについての最初の３つのｓＴＴＩ３１０は、タイミング構造３０５−ａについての最初のｓＴＴＩ３１０に対応する）。
【００８５】
[0094]ＵＥ１１５は、より速いタイミング構造３０５−ｂに従ってダウンリンク送信を処理し得る。例えば、基地局１０５およびＵＥ１１５は、ｎ＋４  ＨＡＲＱタイムラインを使用して動作し得る。ＵＥ１１５は、受信されたダウンリンク送信に基づいて、ＨＡＲＱプロセスを実行し得、（例えば、タイミング構造３０５−ａではなく）タイミング構造３０５−ｂに従って、ｎ＋４番目のｓＴＴＩ３１０で、応答においてＡＣＫまたはＮＡＣＫを送信し得る。基地局１０５がＴｘＯＰ３１５−ａにおいてダウンリンク送信を送信するこのような例では、ＵＥ１１５は、ＨＡＲＱプロセスを実行し、ＴｘＯＰ３１５−ｂでの送信のためにダウンリンクＨＡＲＱ応答を準備し得る。ＴｘＯＰ３１５−ｂにおいて、ＵＥ１１５は、基地局１０５に、ＰＣｅｌｌまたはＰＳＣｅｌｌのＰＵＣＣＨリソースにおいて、ダウンリンクＨＡＲＱ  ＡＣＫ／ＮＡＣＫを送信し得る。ダウンリンクＦＳ２またはＦＳ３コンポーネントキャリアのためのより長いｓＴＴＩ３１０（例えば、ダウンリンク送信のために使用されるより長いｓＴＴＩ３１０）ではなく、アップリンクＦＳ１コンポーネントキャリアのためのより短いｓＴＴＩ３１０に基づくＨＡＲＱタイミングを利用することによって、ＵＥ１１５および基地局１０５は、時間量３２０（例えば、１サブフレームレイテンシ低減）だけ、ダウンリンクＨＡＲＱフィードバックプロセスのレイテンシを低減させ得る。このようにして、システムは、ＦＤＤを使用するアップリンクにおけるダウンリンクＨＡＲＱレイテンシを低減させながら、ＴＤＤ、ＬＡＡ、またはｅＬＡＡを使用するダウンリンクにおける増大されたキャリアアグリゲーションをサポートし得る。
【００８６】
[0095]（例えば、図２を参照して）上記で説明されたように、ＨＡＲＱタイミングは、ＵＥの能力または制限にさらに基づき得る。追加または代替として、ＵＥ１１５は、決定されたＨＡＲＱタイミングに基づいて、ＵＥの能力または制限を修正し得る。いくつかのケースでは、基地局１０５は、コンポーネントキャリア単位、セル単位、またはセルタイプ単位でインプリメントするためのＨＡＲＱタイムラインを選択し得る。基地局１０５は、ダウンリンク送信または構成プロシージャにおいて、この選択されたＨＡＲＱタイムラインをＵＥ１１５に暗黙的または明示的に示し得る。
【００８７】
[0096]図４は、本開示の態様による、ｓＴＴＩ動作におけるダウンリンクスループットの向上のためのキャリアアグリゲーションをサポートするプロセスフロー４００の例を例示する。プロセスフロー４００は、基地局１０５−ｂおよびＵＥ１１５−ｂを含み得、これらは、例えば、図１〜図３を参照して、上記で説明されたデバイスの例であり得る。以下の代替例がインプリメントされ得、ここで、いくつかのステップは、説明されるものとは異なる順序で実行されるか、または全く実行されない。いくつかのケースでは、ステップは、以下に記載されていない追加の特徴を含み得、またはさらなるステップが追加され得る。
【００８８】
[0097]４０５において、基地局１０５−ｂは、ダウンリンク送信のための第１のＴＴＩまたはｓＴＴＩを用いて第１のコンポーネントキャリアを構成し得る。例えば、第１のコンポーネントキャリアは、ＴＤＤモードで動作し得、基地局１０５−ｂは、７個のＯＦＤＭシンボルに及ぶように第１のｓＴＴＩを構成し得る。別の例では、第１のコンポーネントキャリアは、ＬＡＡまたはｅＬＡＡモードで動作し得、基地局１０５−ｂは、１４個または７個のＯＦＤＭシンボルに及ぶように第１のＴＴＩまたはｓＴＴＩを構成し得る。第１のコンポーネントキャリアは、ＳＣｅｌｌコンポーネントキャリアの例であり得る。
【００８９】
[0098]４１０において、基地局１０５−ｂは、アップリンク送信のための第２のｓＴＴＩを用いて第２のコンポーネントキャリアを構成し得る。第２のコンポーネントキャリアのための第２のｓＴＴＩは、第１のコンポーネントキャリアのための第１のＴＴＩまたはｓＴＴＩよりも長さが短くなり得る。換言すれば、第１のＴＴＩまたは第１のｓＴＴＩのうちのいずれのＴＴＩが基地局１０５−ｂによって第１のコンポーネントキャリアのために構成されたとしても、第２のコンポーネントキャリアのために構成された第２のｓＴＴＩは、そのＴＴＩよりも長さが短くなり得る。例えば、第２のコンポーネントキャリアは、ＦＤＤモードで動作し得、第２のｓＴＴＩは、２個のＯＦＤＭシンボルに及ぶように構成され得る。いくつかのケースでは、２シンボルｓＴＴＩを用いて構成されたコンポーネントキャリアは、（例えば、各ｓＴＴＩがＯＦＤＭサブフレームの単一のスロット内に含まれ得るように）２シンボルｓＴＴＩと３シンボルｓＴＴＩとの混合を含み得る。いくつかのケースでは、第２のコンポーネントキャリアは、ＰＣｅｌｌまたはＰＳＣｅｌｌコンポーネントキャリアの例であり得る。第１のコンポーネントキャリアおよび第２のコンポーネントキャリアは、基地局１０５−ｂのための同じＰＵＣＣＨグループに対応し得る。
【００９０】
[0099]４１５において、基地局１０５−ｂは、第２のコンポーネントキャリアのために構成された第２のｓＴＴＩに基づいて、第１のコンポーネントキャリアのためのＨＡＲＱタイミングを識別し得る。例えば、基地局１０５−ｂは、７または１４シンボルｓＴＴＩまたはＴＴＩに従って、第１のコンポーネントキャリア上のダウンリンク上で送信し得る一方で、このダウンリンク送信に応答するダウンリンクＨＡＲＱタイミングは、第２のコンポーネントキャリアの２シンボルｓＴＴＩに基づき得る。いくつかのケースでは、ＨＡＲＱタイミングは、ＵＥ１１５−ｂの能力など、ＵＥ能力にさらに基づき得る。第１のＴＴＩまたはｓＴＴＩではなく、ダウンリンクＨＡＲＱタイミングを第２のｓＴＴＩに基づかせることは、ダウンリンクＨＡＲＱプロセスのためのレイテンシを低減させ得る。
【００９１】
[0100]４２０において、基地局１０５−ｂは、第１のＴＴＩまたはｓＴＴＩを使用して、第１のキャリア上でダウンリンク送信を実行し得る。換言すれば、第１のＴＴＩまたは第１のｓＴＴＩのうちのいずれのＴＴＩが、基地局１０５−ｂによって第１のコンポーネントキャリアのために構成されたとしても、基地局１０５−ｂは、そのＴＴＩを使用して、第１のキャリア上でダウンリンク送信を実行し得る。いくつかのケースでは、基地局１０５−ｂは、ダウンリンク送信に（例えば、ダウンリンク制御情報（ＤＣＩ）に）ＨＡＲＱタイミングの明示的なインジケーションを含め得る。ＵＥ１１５−ｂは、第１のコンポーネントキャリア上でダウンリンク送信を受信し得る。より長いＴＴＩまたはｓＴＴＩ長を使用してダウンリンク送信を送信することは、ダウンリンク上のスループットを改善し得る。
【００９２】
[0101]４２５において、ＵＥ１１５−ｂは、第１のコンポーネントキャリアのためのＨＡＲＱタイミングを識別し得る。いくつかのケースでは、ＵＥ１１５−ｂは、受信されたダウンリンク送信における情報に基づいて、ＨＡＲＱタイミングを決定し得る。他のケースでは、ＵＥ１１５−ｂは、暗黙的な関係（例えば、ＵＥ１１５−ｂのＵＥ能力、構成されたコンポーネントキャリアの数などのコンポーネントキャリアの特性、あるいはこれらまたは他のパラメータの何らかの組合せを含む）に基づいて、ＨＡＲＱタイミングを決定し得る。例えば、いくつかのケースでは、ＵＥ１１５−ｂは、基地局１０５−ｂからダウンリンク送信を受信することとは非依存にＨＡＲＱタイミングを決定し得る。
【００９３】
[0102]４３０において、ＵＥ１１５−ｂは、受信されたダウンリンク送信に応答して、基地局１０５−ｂにダウンリンクＨＡＲＱ  ＡＣＫ／ＮＡＣＫメッセージを送信し得、ここで、ダウンリンクＨＡＲＱ  ＡＣＫ／ＮＡＣＫは、識別されたＨＡＲＱタイミングに従って送信される。例えば、ＵＥ１１５−ｂが、それがダウンリンク送信を成功裏に受信するのに失敗したことを識別した場合、ＵＥ１１５−ｂは、４３０においてＮＡＣＫを送信し得る。いくつかのケースでは、ＮＡＣＫを受信したとき、基地局１０５−ｂは、応答においてダウンリンク送信を再送信し得る。代替として、ダウンリンク送信の受信が成功した場合、ＵＥ１１５−ｂは、４３０において、ダウンリンクＨＡＲＱプロセスに従ってＡＣＫを送信し得る。ＵＥ１１５−ｂは、第２のｓＴＴＩを使用して、第２のコンポーネントキャリア上で基地局１０５−ｂにダウンリンクＨＡＲＱ  ＡＣＫ／ＮＡＣＫメッセージを送信し得る。このようにして、ダウンリンク送信およびそれに応答して送られるダウンリンクＨＡＲＱ  ＡＣＫ／ＮＡＣＫメッセージは、異なるタイミング構造を使用して送信され得る。
【００９４】
[0103]図５は、本開示の態様による、ｓＴＴＩ動作におけるダウンリンクスループットの向上のためのキャリアアグリゲーションをサポートするワイヤレスデバイス５０５のブロック図５００を示す。ワイヤレスデバイス５０５は、本明細書で説明されたようなＵＥ１１５の態様の例であり得る。ワイヤレスデバイス５０５は、受信機５１０、ＵＥ  ＨＡＲＱタイミングモジュール５１５、および送信機５２０を含み得る。ワイヤレスデバイス５０５はまた、プロセッサを含み得る。これらのコンポーネントの各々は、（例えば、１つまたは複数のバスを介して）互いと通信状態にあり得る。
【００９５】
[0104]受信機５１０は、様々な情報チャネル（例えば、ｓＴＴＩ動作におけるダウンリンクスループットの向上のためのキャリアアグリゲーションに関連する情報、データチャネル、および制御チャネルなど）に関連付けられた制御情報、ユーザデータ、またはパケットなどの情報を受信し得る。情報は、デバイスの他のコンポーネントへと渡され得る。受信機５１０は、図８を参照して説明されるトランシーバ８３５の態様の例であり得る。受信機５１０は、単一のアンテナまたはアンテナのセットを利用し得る。
【００９６】
[0105]ＵＥ  ＨＡＲＱタイミングモジュール５１５は、図６〜図８を参照して説明されるＵＥ  ＨＡＲＱタイミングモジュール６１５、７１５、または８１５の態様の例であり得る。ＵＥ  ＨＡＲＱタイミングモジュール５１５および／またはその様々なサブコンポーネントのうちの少なくともいくつかは、ハードウェア、プロセッサによって実行されるソフトウェア、ファームウェア、またはこれらの任意の組合せでインプリメントされ得る。プロセッサによって実行されるソフトウェアでインプリメントされる場合、ＵＥ  ＨＡＲＱタイミングモジュール５１５および／またはその様々なサブコンポーネントのうちの少なくともいくつかの機能は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、あるいは本開示で説明される機能を実行するように設計されたこれらの任意の組合せによって実行され得る。ＵＥ  ＨＡＲＱタイミングモジュール５１５および／またはその様々なサブコンポーネントのうちの少なくともいくつかは、様々な位置に物理的に位置し得、機能の部分が、１つまたは複数の物理的デバイスによって異なる物理的なロケーションにおいてインプリメントされるように分散されていることを含む。いくつかの例では、ＵＥ  ＨＡＲＱタイミングモジュール５１５および／またはその様々なサブコンポーネントのうちの少なくともいくつかは、本開示の様々な態様による、別個のおよび異なるコンポーネントであり得る。他の例では、ＵＥ  ＨＡＲＱタイミングモジュール５１５および／またはその様々なサブコンポーネントのうちの少なくともいくつかは、限定はしないが、本開示の様々な態様に従って、入力／出力（Ｉ／Ｏ）コンポーネント、トランシーバ、ネットワークサーバ、別のコンピューティングデバイス、本開示で説明される１つまたは複数の他のコンポーネント、またはこれらの組合せを含む、１つまたは複数の他のハードウェアコンポーネントと組み合わされ得る。
【００９７】
[0106]ＵＥ  ＨＡＲＱタイミングモジュール５１５は、ダウンリンク送信に関連付けられかつ第１のＴＴＩまたはｓＴＴＩを用いて構成された第１のコンポーネントキャリアのためのＨＡＲＱタイミングを識別し得、第１のコンポーネントキャリアのためのＨＡＲＱタイミングは、アップリンク送信に関連付けられた第２のコンポーネントキャリアのために構成された第２のｓＴＴＩに基づき、ここで、第２のｓＴＴＩは、第１のＴＴＩまたはｓＴＴＩより短い。さらに、ＵＥ  ＨＡＲＱタイミングモジュール５１５は、第１のＴＴＩまたはｓＴＴＩを使用して、第１のコンポーネントキャリア上でダウンリンク送信を受信し得、識別されたＨＡＲＱタイミングに従って、ダウンリンク送信に対応するダウンリンクＨＡＲＱ  ＡＣＫ／ＮＡＣＫメッセージを送信し得る。
【００９８】
[0107]送信機５２０は、デバイスの他のコンポーネントによって生成された信号を送信し得る。いくつかの例では、送信機５２０は、トランシーバモジュールにおいて受信機５１０とコロケートされ得る。例えば、送信機５２０は、図８を参照して説明されるトランシーバ８３５の態様の例であり得る。送信機５２０は、単一のアンテナまたはアンテナのセットを利用し得る。
【００９９】
[0108]図６は、本開示の態様による、ｓＴＴＩ動作におけるダウンリンクスループットの向上のためのキャリアアグリゲーションをサポートするワイヤレスデバイス６０５のブロック図６００を示す。ワイヤレスデバイス６０５は、図１〜図５を参照して説明されたような、ワイヤレスデバイス５０５またはＵＥ１１５の態様の例であり得る。ワイヤレスデバイス６０５は、受信機６１０、ＵＥ  ＨＡＲＱタイミングモジュール６１５、および送信機６２０を含み得る。ワイヤレスデバイス６０５はまた、プロセッサを含み得る。これらのコンポーネントの各々は、（例えば、１つまたは複数のバスを介して）互いと通信状態にあり得る。
【０１００】
[0109]受信機６１０は、様々な情報チャネル（例えば、ｓＴＴＩ動作におけるダウンリンクスループットの向上のためのキャリアアグリゲーションに関連する情報、データチャネル、および制御チャネルなど）に関連付けられた制御情報、ユーザデータ、またはパケットなどの情報を受信し得る。情報は、デバイスの他のコンポーネントへと渡され得る。受信機６１０は、図８を参照して説明されるトランシーバ８３５の態様の例であり得る。受信機６１０は、単一のアンテナまたはアンテナのセットを利用し得る。
【０１０１】
[0110]ＵＥ  ＨＡＲＱタイミングモジュール６１５は、図５、図７、および図８を参照して説明されるＵＥ  ＨＡＲＱタイミングモジュール５１５、７１５、または８１５の態様の例であり得る。ＵＥ  ＨＡＲＱタイミングモジュール６１５はまた、ＨＡＲＱタイミング識別器（identifier）６２５、受信コンポーネント６３０、およびＨＡＲＱ送信コンポーネント６３５を含み得る。
【０１０２】
[0111]ＨＡＲＱタイミング識別器６２５は、ダウンリンク送信に関連付けられかつ第１のＴＴＩまたはｓＴＴＩを用いて構成された第１のコンポーネントキャリアのためのＨＡＲＱタイミングを識別し得、第１のコンポーネントキャリアのためのＨＡＲＱタイミングは、アップリンク送信に関連付けられた第２のコンポーネントキャリアのために構成された第２のｓＴＴＩに基づき、ここで、第２のｓＴＴＩは、第１のＴＴＩまたはｓＴＴＩより短い。いくつかのケースでは、第１のコンポーネントキャリアのためのＨＡＲＱタイミングを識別することは、第１のコンポーネントキャリア上で（例えば、ＤＣＩにおいて）ＨＡＲＱタイミングのインジケーションを受信することを含み得る。
【０１０３】
[0112]受信コンポーネント６３０は、第１のＴＴＩまたはｓＴＴＩを使用して、第１のコンポーネントキャリア上でダウンリンク送信を受信し得る。いくつかのケースでは、受信コンポーネント６３０は、受信機６１０のコンポーネントであり得る。ＨＡＲＱ送信コンポーネント６３５は、識別されたＨＡＲＱタイミングに従って、ダウンリンク送信に対応するダウンリンクＨＡＲＱ  ＡＣＫ／ＮＡＣＫメッセージを送信し得る。いくつかのケースでは、ダウンリンクＨＡＲＱ  ＡＣＫ／ＮＡＣＫメッセージは、第２のｓＴＴＩを使用して、第２のコンポーネントキャリア上で送信される。ＨＡＲＱ送信コンポーネント６３５は、送信機６２０のコンポーネントであり得る。
【０１０４】
[0113]送信機６２０は、デバイスの他のコンポーネントによって生成された信号を送信し得る。いくつかの例では、送信機６２０は、トランシーバモジュールにおいて受信機６１０とコロケートされ得る。例えば、送信機６２０は、図８を参照して説明されるトランシーバ８３５の態様の例であり得る。送信機６２０は、単一のアンテナまたはアンテナのセットを利用し得る。
【０１０５】
[0114]図７は、本開示の態様による、ｓＴＴＩ動作におけるダウンリンクスループットの向上のためのキャリアアグリゲーションをサポートするＵＥ  ＨＡＲＱタイミングモジュール７１５のブロック図７００を示す。ＵＥ  ＨＡＲＱタイミングモジュール７１５は、図５、図６、および図８を参照して説明されるＵＥ  ＨＡＲＱタイミングモジュール５１５、６１５、または８１５の態様の例であり得る。ＵＥ  ＨＡＲＱタイミングモジュール７１５は、ＨＡＲＱタイミング識別器７２０、受信コンポーネント７２５、ＨＡＲＱ送信コンポーネント７３０、およびＵＥ能力コンポーネント７３５を含み得る。これらのモジュールの各々は、（例えば、１つまたは複数のバスを介して）互いと直接的にまたは間接的に通信し得る。
【０１０６】
[0115]ＨＡＲＱタイミング識別器７２０は、ダウンリンク送信に関連付けられかつ第１のＴＴＩまたはｓＴＴＩを用いて構成された第１のコンポーネントキャリアのためのＨＡＲＱタイミングを識別し得、第１のコンポーネントキャリアのためのＨＡＲＱタイミングは、アップリンク送信に関連付けられた第２のコンポーネントキャリアのために構成された第２のｓＴＴＩに基づき、ここで、第２のｓＴＴＩは、第１のＴＴＩまたはｓＴＴＩより短い。いくつかのケースでは、第１のコンポーネントキャリアのためのＨＡＲＱタイミングを識別することは、第１のコンポーネントキャリア上でＨＡＲＱタイミングのインジケーションを受信することを含み得る。いくつかのケースでは、第１のコンポーネントキャリアおよび第２のコンポーネントキャリアは、同じＰＵＣＣＨグループに対応する。第１のコンポーネントキャリアは、ＴＤＤモード、ＬＡＡモード、ｅＬＡＡモード、またはこれらの組合せで構成され得る。いくつかのケースでは、第１のコンポーネントキャリアまたは第２のコンポーネントキャリアは、ＦＤＤモードで構成され得る。一例では、第１のＴＴＩまたはｓＴＴＩは、７個のＯＦＤＭシンボルまたは１４個のＯＦＤＭシンボルに及び得る。いくつかのケースでは、ＴＴＩは、２つのスロットに分割され、ダウンリンク送信は、２つのスロットの各々にわたって（例えば、受信コンポーネント７２５によって）受信される。第２のｓＴＴＩは、２個または３個のＯＦＤＭシンボルに及び得る。いくつかのケースでは、第１のコンポーネントキャリアは、ＳＣｅｌｌコンポーネントキャリアの例であり、一方、第２のコンポーネントキャリアは、ＰＣｅｌｌまたはＰＳＣｅｌｌコンポーネントキャリアの例である。
【０１０７】
[0116]受信コンポーネント７２５は、第１のＴＴＩまたはｓＴＴＩを使用して、第１のコンポーネントキャリア上でダウンリンク送信を受信し得る。ダウンリンク送信のこの受信は、成功または不成功になり得る（例えば、ダウンリンク送信が受信デバイスによって正しく復号されない場合、受信は不成功になり得る）。ＨＡＲＱ送信コンポーネント７３０は、識別されたＨＡＲＱタイミングに従って、ダウンリンク送信に対応するダウンリンクＨＡＲＱ  ＡＣＫ／ＮＡＣＫメッセージを送信し得る。いくつかのケースでは、ダウンリンクＨＡＲＱ  ＡＣＫ／ＮＡＣＫメッセージは、第２のｓＴＴＩを使用して、第２のコンポーネントキャリア上で送信される。ダウンリンクＨＡＲＱ  ＡＣＫ／ＮＡＣＫメッセージは、ダウンリンク送信が受信コンポーネント７２５によって成功裏に受信されたかどうかを示し得る。
【０１０８】
[0117]ＵＥ能力コンポーネント７３５は、ＵＥの１つまたは複数のＵＥ能力のインジケーションを送信し得、ここで、ＨＡＲＱタイミングは、ＵＥの１つまたは複数のＵＥ能力にさらに基づく。いくつかのケースでは、ＵＥ能力コンポーネント７３５は、第２のｓＴＴＩ、１つまたは複数のＵＥ能力、またはこれらの組合せに基づいて、最大ＴＡを決定し得る。いくつかのケースでは、１つまたは複数のＵＥ能力は、ＴＢＳ、レイヤの数、基準信号タイプ、ＰＤＣＣＨ送信持続時間、ｓＴＴＩ  ＰＤＣＣＨ送信持続時間、ブラインド復号の数、ＰＤＣＣＨまたはｓＴＴＩ  ＰＤＣＣＨのための探索空間サイズ、またはこれらの組合せを含む。ＵＥのＵＥ能力は、ダウンリンクＨＡＲＱ  ＡＣＫ／ＮＡＣＫメッセージを送信するＵＥ１１５（すなわち、ＵＥ  ＨＡＲＱタイミングモジュール７１５を含むＵＥ１１５）の能力であり得る。いくつかのケースでは、ＵＥ能力コンポーネント７３５は、第１のＴＴＩまたはｓＴＴＩを用いて構成されたコンポーネントキャリアの数、ＵＥ１１５のために構成されたコンポーネントキャリアの総数、またはこれらの組合せを決定し得、ここで、１つまたは複数のＵＥ能力のインジケーションは、第１のＴＴＩまたはｓＴＴＩを用いて構成されたコンポーネントキャリアの数、ＵＥのために構成されたコンポーネントキャリアの総数、またはこれらの組合せに基づく。
【０１０９】
[0118]図８は、本開示の態様による、ｓＴＴＩ動作におけるダウンリンクスループットの向上のためのキャリアアグリゲーションをサポートするワイヤレスデバイス８０５を含むシステム８００の図を示す。ワイヤレスデバイス８０５は、例えば、図１〜図６を参照して、上記で説明されたような、ワイヤレスデバイス５０５、ワイヤレスデバイス６０５、またはＵＥ１１５のコンポーネントを含むか、またはその例であり得る。ワイヤレスデバイス８０５は、ＵＥ  ＨＡＲＱタイミングモジュール８１５、プロセッサ８２０、メモリ８２５、ソフトウェア８３０、トランシーバ８３５、アンテナ８４０、およびＩ／Ｏコントローラ８４５を含む、通信を送信および受信するためのコンポーネントを含む、双方向音声およびデータ通信のためのコンポーネントを含み得る。ＵＥ  ＨＡＲＱタイミングモジュール８１５は、図７を参照して上記で説明されたようなＵＥ  ＨＡＲＱタイミングモジュール７１５の例であり得る。これらのコンポーネントは、１つまたは複数のバス（例えば、バス８１０）を介して電子通信状態にあり得る。ワイヤレスデバイス８０５は、１つまたは複数の基地局１０５とワイヤレスに通信し得る。
【０１１０】
[0119]プロセッサ８２０は、インテリジェントハードウェアデバイス（例えば、汎用プロセッサ、ＤＳＰ、中央処理ユニット（ＣＰＵ）、マイクロコントローラ、ＡＳＩＣ、ＦＰＧＡ、プログラマブルロジックデバイス、ディスクリートゲートまたはトランジスタロジックコンポーネント、ディスクリートハードウェアコンポーネント、またはこれらの任意の組合せ）を含み得る。いくつかのケースでは、プロセッサ８２０は、メモリコントローラを使用してメモリアレイを動作させるように構成され得る。他のケースでは、メモリコントローラは、プロセッサ８２０に一体化され得る。プロセッサ８２０は、例えば、図１３、図１４、および図１５に関連した機能などの、様々な機能（例えば、ｓＴＴＩ動作におけるダウンリンクスループットの向上のためのキャリアアグリゲーションをサポートする機能またはタスク）を実行するために、メモリに記憶されたコンピュータ可読命令を実行するように構成され得る。１つのインプリメンテーションでは、例えば、プロセッサは、装置に、図１３、図１４、および図１５に関連した様々な機能を実行させように、プロセッサ８２０によって実行可能でありかつメモリ８２５に記憶された命令を取り出し得る。一例では、装置に機能を実行させるプロセッサ８２０は、トランシーバ８３５に機能のうちの１つまたは複数、あるいは全てを実行させるプロセッサを含み得る。
【０１１１】
[0120]メモリ８２５は、ランダムアクセスメモリ（ＲＡＭ）および読取専用メモリ（ＲＯＭ）を含み得る。メモリ８２５は、実行されると、プロセッサに、本明細書で説明された様々な機能を実行させる命令を含むコンピュータ可読で、コンピュータ実行可能なソフトウェア８３０を記憶し得る。いくつかのケースでは、メモリ８２５は、とりわけ、周辺コンポーネントまたはデバイスとのインタラクションなどの基本ハードウェアまたはソフトウェア動作を制御し得る基本入力／出力システム（ＢＩＯＳ）を含み得る。
【０１１２】
[0121]ソフトウェア８３０は、ｓＴＴＩ動作におけるダウンリンクスループットの向上のためのキャリアアグリゲーションをサポートするためのコードを含む、本開示の態様をインプリメントするためのコードを含み得る。ソフトウェア８３０は、システムメモリまたは他のメモリなどの、非一時的なコンピュータ可読媒体に記憶され得る。いくつかのケースでは、ソフトウェア８３０は、プロセッサ８２０によって直接的に実行可能でない場合があるが、（例えば、コンパイルされ、実行されると）コンピュータに、本明細書で説明される機能を実行させ得る。
【０１１３】
[0122]トランシーバ８３５は、上記で説明されたように、１つまたは複数のアンテナ、ワイヤードリンク、またはワイヤレスリンクを介して、双方向に通信し得る。例えば、トランシーバ８３５は、ワイヤレストランシーバを表し得、別のワイヤレストランシーバと双方向に通信し得る。トランシーバ８３５はまた、パケットを変調して、変調されたパケットを送信のためにアンテナに提供することと、アンテナから受信されたパケットを復調することとを行うためのモデムを含み得る。
【０１１４】
[0123]いくつかのケースでは、ワイヤレスデバイスは、単一のアンテナ８４０を含み得る。しかしながら、いくつかのケースでは、デバイスは、１つより多くのアンテナ８４０を有し得、それらは、複数のワイヤレス送信を同時並行（concurrently）に送信または受信することが可能であり得る。
【０１１５】
[0124]Ｉ／Ｏコントローラ８４５は、ワイヤレスデバイス８０５のための入力および出力信号を管理し得る。Ｉ／Ｏコントローラ８４５はまた、ワイヤレスデバイス８０５に一体化されていない周辺機器を管理し得る。いくつかのケースでは、Ｉ／Ｏコントローラ８４５は、外部周辺機器への物理的接続またはポートを表し得る。いくつかのケースでは、Ｉ／Ｏコントローラ８４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の既知のオペレーティングシステムなどのオペレーティングシステムを利用し得る。他のケースでは、Ｉ／Ｏコントローラ８４５は、モデム、キーボード、マウス、タッチスクリーン、または同様のデバイスを表すか、またはそれらとインタラクトし得る。いくつかのケースでは、Ｉ／Ｏコントローラ８４５は、プロセッサの一部としてインプリメントされ得る。いくつかのケースでは、ユーザは、Ｉ／Ｏコントローラ８４５を介して、またはＩ／Ｏコントローラ８４５によって制御されるハードウェアコンポーネントを介して、ワイヤレスデバイス８０５とインタラクトし得る。
【０１１６】
[0125]図９は、本開示の態様による、ｓＴＴＩ動作におけるダウンリンクスループットの向上のためのキャリアアグリゲーションをサポートするワイヤレスデバイス９０５のブロック図９００を示す。ワイヤレスデバイス９０５は、本明細書で説明されたような基地局１０５の態様の例であり得る。ワイヤレスデバイス９０５は、受信機９１０、基地局ＨＡＲＱタイミングモジュール９１５、および送信機９２０を含み得る。ワイヤレスデバイス９０５はまた、プロセッサを含み得る。これらのコンポーネントの各々は、（例えば、１つまたは複数のバスを介して）互いと通信状態にあり得る。
【０１１７】
[0126]受信機９１０は、様々な情報チャネル（例えば、ｓＴＴＩ動作におけるダウンリンクスループットの向上のためのキャリアアグリゲーションに関連する情報、データチャネル、および制御チャネルなど）に関連付けられた制御情報、ユーザデータ、またはパケットなどの情報を受信し得る。情報は、デバイスの他のコンポーネントへと渡され得る。受信機９１０は、図１２を参照して説明されるトランシーバ１２３５の態様の例であり得る。受信機９１０は、単一のアンテナまたはアンテナのセットを利用し得る。
【０１１８】
[0127]基地局ＨＡＲＱタイミングモジュール９１５は、図１０〜図１２を参照して説明される基地局ＨＡＲＱタイミングモジュール１０１５、１１１５、または１２１５の態様の例であり得る。基地局ＨＡＲＱタイミングモジュール９１５および／またはその様々なサブコンポーネントのうちの少なくともいくつかは、ハードウェア、プロセッサによって実行されるソフトウェア、ファームウェア、またはこれらの任意の組合せでインプリメントされ得る。プロセッサによって実行されるソフトウェアでインプリメントされる場合、基地局ＨＡＲＱタイミングモジュール９１５および／またはその様々なサブコンポーネントのうちの少なくともいくつかの機能は、汎用プロセッサ、ＤＳＰ、ＡＳＩＣ、ＦＰＧＡまたは他のプログラマブルロジックデバイス、ディスクリートゲートまたはトランジスタロジック、ディスクリートハードウェアコンポーネント、あるいは本開示で説明される機能を実行するように設計されたこれらの任意の組合せによって実行され得る。基地局ＨＡＲＱタイミングモジュール９１５および／またはその様々なサブコンポーネントのうちの少なくともいくつかは、様々な位置に物理的に位置し得、機能の部分が、１つまたは複数の物理的デバイスによって異なる物理的なロケーションにおいてインプリメントされるように分散されていることを含む。いくつかの例では、基地局ＨＡＲＱタイミングモジュール９１５および／またはその様々なサブコンポーネントのうちの少なくともいくつかは、本開示の様々な態様による、別個のおよび異なるコンポーネントであり得る。他の例では、基地局ＨＡＲＱタイミングモジュール９１５および／またはその様々なサブコンポーネントのうちの少なくともいくつかは、限定はしないが、本開示の様々な態様に従って、Ｉ／Ｏコンポーネント、トランシーバ、ネットワークサーバ、別のコンピューティングデバイス、本開示で説明される１つまたは複数の他のコンポーネント、またはこれらの組合せを含む、１つまたは複数の他のハードウェアコンポーネントと組み合わされ得る。
【０１１９】
[0128]基地局ＨＡＲＱタイミングモジュール９１５は、ダウンリンク送信のための第１のＴＴＩまたはｓＴＴＩを用いて第１のコンポーネントキャリアを、およびアップリンク送信のための第２のｓＴＴＩを用いて第２のコンポーネントキャリアを構成し得、ここで、第２のｓＴＴＩは、第１のＴＴＩまたはｓＴＴＩより短い。基地局ＨＡＲＱタイミングモジュール９１５はさらに、第２のコンポーネントキャリアのために構成された第２のｓＴＴＩに基づいて、ダウンリンク送信に関連付けられかつ第１のコンポーネントキャリアのためのＨＡＲＱタイミングを識別し、第１のＴＴＩまたはｓＴＴＩを使用して、第１のコンポーネントキャリア上でダウンリンク送信を実行し、識別されたＨＡＲＱタイミングに従って、ダウンリンク送信に対応する（例えば、それに応答して）ダウンリンクＨＡＲＱ  ＡＣＫ／ＮＡＣＫメッセージを受信し得る。
【０１２０】
[0129]送信機９２０は、デバイスの他のコンポーネントによって生成された信号を送信し得る。いくつかの例では、送信機９２０は、トランシーバモジュールにおいて受信機９１０とコロケートされ得る。例えば、送信機９２０は、図１２を参照して説明されるトランシーバ１２３５の態様の例であり得る。送信機９２０は、単一のアンテナまたはアンテナのセットを利用し得る。
【０１２１】
[0130]図１０は、本開示の態様による、ｓＴＴＩ動作におけるダウンリンクスループットの向上のためのキャリアアグリゲーションをサポートするワイヤレスデバイス１００５のブロック図１０００を示す。ワイヤレスデバイス１００５は、図１〜図４および図９を参照して説明されたような、ワイヤレスデバイス９０５または基地局１０５の態様の例であり得る。ワイヤレスデバイス１００５は、受信機１０１０、基地局ＨＡＲＱタイミングモジュール１０１５、および送信機１０２０を含み得る。ワイヤレスデバイス１００５はまた、プロセッサを含み得る。これらのコンポーネントの各々は、（例えば、１つまたは複数のバスを介して）互いと通信状態にあり得る。
【０１２２】
[0131]受信機１０１０は、様々な情報チャネル（例えば、ｓＴＴＩ動作におけるダウンリンクスループットの向上のためのキャリアアグリゲーションに関連する情報、データチャネル、および制御チャネルなど）に関連付けられた制御情報、ユーザデータ、またはパケットなどの情報を受信し得る。情報は、デバイスの他のコンポーネントへと渡され得る。受信機１０１０は、図１２を参照して説明されるトランシーバ１２３５の態様の例であり得る。受信機１０１０は、単一のアンテナまたはアンテナのセットを利用し得る。
【０１２３】
[0132]基地局ＨＡＲＱタイミングモジュール１０１５は、図９、図１１、および図１２を参照して説明される基地局ＨＡＲＱタイミングモジュール９１５、１１１５、または１２１５の態様の例であり得る。基地局ＨＡＲＱタイミングモジュール１０１５はまた、構成コンポーネント１０２５、ＨＡＲＱタイミング識別器１０３０、送信コンポーネント１０３５、およびＨＡＲＱ  ＡＣＫ／ＮＡＣＫ受信コンポーネント１０４０を含み得る。
【０１２４】
[0133]構成コンポーネント１０２５は、ダウンリンク送信のための第１のＴＴＩまたはｓＴＴＩを用いて第１のコンポーネントキャリアを、およびアップリンク送信のための第２のｓＴＴＩを用いて第２のコンポーネントキャリアを構成し得、ここで、第２のｓＴＴＩは、第１のＴＴＩまたはｓＴＴＩより短い。ＨＡＲＱタイミング識別器１０３０は、第２のコンポーネントキャリアのために構成された第２のｓＴＴＩに基づいて、ダウンリンク送信に関連付けられかつ第１のコンポーネントキャリアのためのＨＡＲＱタイミングを識別し得る。
【０１２５】
[0134]送信コンポーネント１０３５は、第１のＴＴＩまたはｓＴＴＩを使用して、第１のコンポーネントキャリア上でダウンリンク送信を実行し得る。いくつかのケースでは、送信コンポーネント１０３５は、送信機１０２０のコンポーネントまたは態様であり得る。ＨＡＲＱ  ＡＣＫ／ＮＡＣＫ受信コンポーネント１０４０は、識別されたＨＡＲＱタイミングに従って、ダウンリンク送信に対応するダウンリンクＨＡＲＱ  ＡＣＫ／ＮＡＣＫメッセージを受信し得る。いくつかのケースでは、ダウンリンクＨＡＲＱ  ＡＣＫ／ＮＡＣＫメッセージは、第２のｓＴＴＩを使用して、第２のコンポーネントキャリア上で受信される。ＨＡＲＱ  ＡＣＫ／ＮＡＣＫ受信コンポーネント１０４０は、受信機１０１０のコンポーネントまたは態様であり得る。
【０１２６】
[0135]送信機１０２０は、デバイスの他のコンポーネントによって生成された信号を送信し得る。いくつかの例では、送信機１０２０は、トランシーバモジュールにおいて受信機１０１０とコロケートされ得る。例えば、送信機１０２０は、図１２を参照して説明されるトランシーバ１２３５の態様の例であり得る。送信機１０２０は、単一のアンテナまたはアンテナのセットを利用し得る。
【０１２７】
[0136]図１１は、本開示の態様による、ｓＴＴＩ動作におけるダウンリンクスループットの向上のためのキャリアアグリゲーションをサポートする基地局ＨＡＲＱタイミングモジュール１１１５のブロック図１１００を示す。基地局ＨＡＲＱタイミングモジュール１１１５は、図９、図１０、および図１２を参照して説明される基地局ＨＡＲＱタイミングモジュール９１５、１０１５、または１２１５の態様の例であり得る。基地局ＨＡＲＱタイミングモジュール１１１５は、構成コンポーネント１１２０、ＨＡＲＱタイミング識別器１１２５、送信コンポーネント１１３０、ＨＡＲＱ  ＡＣＫ／ＮＡＣＫ受信コンポーネント１１３５、ＨＡＲＱタイミングインジケータ１１４０、ＵＥ能力コンポーネント１１４５、およびＴＴＩ分割コンポーネント１１５０を含み得る。これらのモジュールの各々は、（例えば、１つまたは複数のバスを介して）互いと直接的にまたは間接的に通信し得る。
【０１２８】
[0137]構成コンポーネント１１２０は、ダウンリンク送信のための第１のＴＴＩまたはｓＴＴＩを用いて第１のコンポーネントキャリアを、およびアップリンク送信のための第２のｓＴＴＩを用いて第２のコンポーネントキャリアを構成し得、ここで、第２のｓＴＴＩは、第１のＴＴＩまたはｓＴＴＩより短い。いくつかのケースでは、構成コンポーネント１１２０は、ＴＤＤモード、ＬＡＡモード、ｅＬＡＡモード、またはこれらの組合せで、第１のコンポーネントキャリアを構成し得、ＦＤＤモードで第１のコンポーネントキャリアまたは第２のコンポーネントキャリアを構成し得る。いくつかのケースでは、第１のコンポーネントキャリアおよび第２のコンポーネントキャリアは、同じＰＵＣＣＨグループに対応する。第１のＴＴＩまたはｓＴＴＩは、７個のＯＦＤＭシンボルまたは１４個のＯＦＤＭシンボルに及ぶｓＴＴＩであり得る。ＴＴＩ分割コンポーネント１１５０は、ＴＴＩを２つのスロットに分割し得、ここで、ダウンリンク送信は、２つのスロットの各々にわたって実行される。いくつかのケースでは、第２のｓＴＴＩは、２個または３個のＯＦＤＭシンボルに及ぶ。いくつかのケースでは、第１のコンポーネントキャリアは、ＳＣｅｌｌコンポーネントキャリアの例であり得、第２のコンポーネントキャリアは、ＰＣｅｌｌまたはＰＳＣｅｌｌコンポーネントキャリアの例であり得る。
【０１２９】
[0138]ＨＡＲＱタイミング識別器１１２５は、第２のコンポーネントキャリアのために構成された第２のｓＴＴＩに基づいて、ダウンリンク送信に関連付けられかつ第１のコンポーネントキャリアのためのＨＡＲＱタイミングを識別し得る。
【０１３０】
[0139]送信コンポーネント１１３０は、第１のＴＴＩまたはｓＴＴＩを使用して、第１のコンポーネントキャリア上でダウンリンク送信を実行し得る。ＨＡＲＱ  ＡＣＫ／ＮＡＣＫ受信コンポーネント１１３５は、識別されたＨＡＲＱタイミングに従って、ダウンリンク送信に対応するダウンリンクＨＡＲＱ  ＡＣＫ／ＮＡＣＫメッセージを受信し得る。いくつかのケースでは、ダウンリンクＨＡＲＱ  ＡＣＫ／ＮＡＣＫメッセージは、第２のｓＴＴＩを使用して、第２のコンポーネントキャリア上で受信される。
【０１３１】
[0140]ＨＡＲＱタイミングインジケータ１１４０は、第１のコンポーネントキャリア上でＨＡＲＱタイミングのインジケーションを送信し得る。ＵＥ能力コンポーネント１１４５は、ＵＥの１つまたは複数のＵＥ能力を識別し得、ここで、ＨＡＲＱタイミングを識別することは、ＵＥの１つまたは複数のＵＥ能力にさらに基づく。いくつかのケースでは、１つまたは複数のＵＥ能力は、ＴＢＳ、レイヤの数、基準信号タイプ、ＰＤＣＣＨ送信持続時間、ｓＴＴＩ  ＰＤＣＣＨ送信持続時間、ブラインド復号の数、ＰＤＣＣＨまたはｓＴＴＩ  ＰＤＣＣＨのための探索空間サイズ、またはこれらの組合せを含む。いくつかのケースでは、１つまたは複数のＵＥ能力を識別することは、１つまたは複数のＵＥ能力のインジケーションを受信することを含み得る。いくつかのケースでは、ＵＥの１つまたは複数のＵＥ能力は、ダウンリンクＨＡＲＱ  ＡＣＫ／ＮＡＣＫメッセージを送信するＵＥ１１５（例えば、ダウンリンク送信を受信しようと試みるＵＥ１１５）に対応し得る。これらのケースでは、１つまたは複数のＵＥ能力は、第１のＴＴＩまたはｓＴＴＩを用いて構成されたコンポーネントキャリアの数、ＵＥのために構成されたコンポーネントキャリアの総数、またはこれらの組合せに基づき得る。
【０１３２】
[0141]図１２は、本開示の態様による、ｓＴＴＩ動作におけるダウンリンクスループットの向上のためのキャリアアグリゲーションをサポートするワイヤレスデバイス１２０５を含むシステム１２００の図を示す。ワイヤレスデバイス１２０５は、例えば、図１〜図４、図９、および図１０を参照して、上記で説明されたような、ワイヤレスデバイス９０５、ワイヤレスデバイス１００５、または基地局１０５のコンポーネントを含むか、またはその例であり得る。ワイヤレスデバイス１２０５は、基地局ＨＡＲＱタイミングモジュール１２１５、プロセッサ１２２０、メモリ１２２５、ソフトウェア１２３０、トランシーバ１２３５、アンテナ１２４０、ネットワーク通信マネージャ１２４５、および局間通信マネージャ１２５０を含む、通信を送信および受信するためのコンポーネントを含む、双方向音声およびデータ通信のためのコンポーネントを含み得る。これらのコンポーネントは、１つまたは複数のバス（例えば、バス１２１０）を介して電子通信状態にあり得る。ワイヤレスデバイス１２０５は、１つまたは複数のＵＥ１１５、１つまたは複数の基地局１０５、またはこれらのデバイスの組合せとワイヤレスに通信し得る。
【０１３３】
[0142]プロセッサ１２２０は、インテリジェントハードウェアデバイス（例えば、汎用プロセッサ、ＤＳＰ、ＣＰＵ、マイクロコントローラ、ＡＳＩＣ、ＦＰＧＡ、プログラマブルロジックデバイス、ディスクリートゲートまたはトランジスタロジックコンポーネント、ディスクリートハードウェアコンポーネント、またはこれらの任意の組合せ）を含み得る。いくつかのケースでは、プロセッサ１２２０は、メモリコントローラを使用してメモリアレイを動作させるように構成され得る。他のケースでは、メモリコントローラは、プロセッサ１２２０に一体化され得る。プロセッサ１２２０は、例えば、図１６に関連した機能などの、様々な機能（例えば、ｓＴＴＩ動作におけるダウンリンクスループットの向上のためのキャリアアグリゲーションをサポートする機能またはタスク）を実行するために、メモリに記憶されたコンピュータ可読命令を実行するように構成され得る。１つのインプリメンテーションでは、例えば、プロセッサは、装置に、図１６に関連した様々な機能を実行させるように、プロセッサ１２２０によって実行可能でありかつメモリ１２２５に記憶された命令を取り出し得る。一例では、装置に機能を実行させるプロセッサ１２２０は、トランシーバ１２３５に機能のうちの１つまたは複数を実行させるプロセッサを含み得る。
【０１３４】
[0143]メモリ１２２５は、ＲＡＭおよびＲＯＭを含み得る。メモリ１２２５は、実行されると、プロセッサに、本明細書で説明された様々な機能を実行させる命令を含むコンピュータ可読で、コンピュータ実行可能なソフトウェア１２３０を記憶し得る。いくつかのケースでは、メモリ１２２５は、とりわけ、周辺コンポーネントまたはデバイスとのインタラクションなどの基本ハードウェアまたはソフトウェア動作を制御し得るＢＩＯＳを含み得る。
【０１３５】
[0144]ソフトウェア１２３０は、ｓＴＴＩ動作におけるダウンリンクスループットの向上のためのキャリアアグリゲーションをサポートするためのコードを含む、本開示の態様をインプリメントするためのコードを含み得る。ソフトウェア１２３０は、システムメモリまたは他のメモリなどの、非一時的なコンピュータ可読媒体に記憶され得る。いくつかのケースでは、ソフトウェア１２３０は、プロセッサによって直接的に実行可能でない場合があるが、（例えば、コンパイルされ、実行されると）コンピュータに、本明細書で説明される機能を実行させ得る。
【０１３６】
[0145]トランシーバ１２３５は、上記で説明されたように、１つまたは複数のアンテナ、ワイヤードリンク、またはワイヤレスリンクを介して、双方向に通信し得る。例えば、トランシーバ１２３５は、ワイヤレストランシーバを表し得、別のワイヤレストランシーバと双方向に通信し得る。トランシーバ１２３５はまた、パケットを変調して、変調されたパケットを送信のためにアンテナに提供することと、アンテナから受信されたパケットを復調することとを行うためのモデムを含み得る。
【０１３７】
[0146]いくつかのケースでは、ワイヤレスデバイスは、単一のアンテナ１２４０を含み得る。しかしながら、いくつかのケースでは、デバイスは、１つより多くのアンテナ１２４０を有し得、それらは、複数のワイヤレス送信を同時並行に送信または受信することが可能であり得る。
【０１３８】
[0147]ネットワーク通信マネージャ１２４５は、（例えば、１つまたは複数のワイヤードバックホールリンクを介して）コアネットワーク１３０との通信を管理し得る。例えば、ネットワーク通信マネージャ１２４５は、１つまたは複数のＵＥ１１５などのクライアントデバイスのためのデータ通信の転送を管理し得る。
【０１３９】
[0148]局間通信マネージャ１２５０は、他の基地局１０５との通信を管理し得、他の基地局１０５と連携してＵＥ１１５との通信を制御するためのコントローラまたはスケジューラを含み得る。例えば、局間通信マネージャ１２５０は、ビームフォーミングまたはジョイント送信などの様々な干渉緩和技法のために、ＵＥ１１５への送信についてのスケジューリングを調整し得る。いくつかの例では、局間通信マネージャ１２５０は、基地局１０５間の通信を提供するために、ＬＴＥ／ＬＴＥ−Ａワイヤレス通信ネットワーク技術内のＸ２インターフェースを提供し得る。
【０１４０】
[0149]図１３は、本開示の態様による、ｓＴＴＩ動作におけるダウンリンクスループットの向上のためのキャリアアグリゲーションのための方法１３００を例示するフローチャートを示す。方法１３００の動作は、本明細書で説明されたようなＵＥ１１５またはそのコンポーネントによってインプリメントされ得る。例えば、方法１３００の動作は、図５〜図８を参照して説明されたようなＵＥ  ＨＡＲＱタイミングモジュールによって実行され得る。いくつかの例では、ＵＥ１１５は、以下で説明される機能を実行するために、デバイスの機能的な要素を制御するためのコードのセットを実行し得る。追加または代替として、ＵＥ１１５は、専用ハードウェアを使用して、以下で説明される機能の態様を実行し得る。
【０１４１】
[0150]１３０５において、ＵＥ１１５は、ダウンリンク送信に関連付けられかつ第１のＴＴＩまたはｓＴＴＩを用いて構成された第１のコンポーネントキャリアのためのＨＡＲＱタイミングを識別し得る。第１のコンポーネントキャリアのためのＨＡＲＱタイミングは、アップリンク送信に関連付けられた第２のコンポーネントキャリアのために構成された第２のｓＴＴＩに少なくとも部分的に基づき得、ここで、第２のｓＴＴＩは、第１のＴＴＩまたはｓＴＴＩより短い。換言すれば、第１のＴＴＩまたは第１のｓＴＴＩのうちのいずれのＴＴＩが、識別されたＨＡＲＱタイミングのために第１のコンポーネントキャリアの構成に関連付けられたとしても、第２のｓＴＴＩは、そのＴＴＩより短い。１３０５の動作は、本明細書で説明された方法に従って実行され得る。ある特定の例では、１３０５の動作の態様は、図５〜図８を参照して説明されたようなＨＡＲＱタイミング識別器によって実行され得る。
【０１４２】
[0151]１３１０において、ＵＥ１１５は、第１のＴＴＩまたはｓＴＴＩを使用して、第１のコンポーネントキャリア上でダウンリンク送信を受信し得る。換言すれば、第１のＴＴＩまたは第１のｓＴＴＩのうちのいずれのＴＴＩが、識別されたＨＡＲＱタイミングのために第１のコンポーネントキャリアの構成に関連付けられたとしても、ＵＥ１１５は、そのＴＴＩを使用して、第１のコンポーネントキャリア上でダウンリンク送信を受信し得る。１３１０の動作は、本明細書で説明された方法に従って実行され得る。ある特定の例では、１３１０の動作の態様は、図５〜図８を参照して説明されたような受信コンポーネントによって実行され得る。
【０１４３】
[0152]１３１５において、ＵＥ１１５は、識別されたＨＡＲＱタイミングに従って、ダウンリンク送信に対応するダウンリンクＨＡＲＱ  ＡＣＫ／ＮＡＣＫメッセージを送信し得る。１３１５の動作は、本明細書で説明された方法に従って実行され得る。ある特定の例では、１３１５の動作の態様は、図５〜図８を参照して説明されたようなＨＡＲＱ送信コンポーネントによって実行され得る。
【０１４４】
[0153]図１４は、本開示の態様による、ｓＴＴＩ動作におけるダウンリンクスループットの向上のためのキャリアアグリゲーションのための方法１４００を例示するフローチャートを示す。方法１４００の動作は、本明細書で説明されたようなＵＥ１１５またはそのコンポーネントによってインプリメントされ得る。例えば、方法１４００の動作は、図５〜図８を参照して説明されたようなＵＥ  ＨＡＲＱタイミングモジュールによって実行され得る。いくつかの例では、ＵＥ１１５は、以下で説明される機能を実行するために、デバイスの機能的な要素を制御するためのコードのセットを実行し得る。追加または代替として、ＵＥ１１５は、専用ハードウェアを使用して、以下で説明される機能の態様を実行し得る。
【０１４５】
[0154]１４０５において、ＵＥ１１５は、第１のコンポーネントキャリア上でＨＡＲＱタイミングのインジケーションを受信し得る。いくつかのケースでは、このインジケーションは、ＤＣＩのコンポーネントであり得る。１４０５の動作は、本明細書で説明された方法に従って実行され得る。ある特定の例では、１４０５の動作の態様は、図５〜図８を参照して説明されたようなＨＡＲＱタイミング識別器によって実行され得る。
【０１４６】
[0155]１４１０において、ＵＥ１１５は、ダウンリンク送信に関連付けられかつ第１のＴＴＩまたはｓＴＴＩを用いて構成された第１のコンポーネントキャリアのためのＨＡＲＱタイミングを識別し得る。第１のコンポーネントキャリアのためのＨＡＲＱタイミングは、アップリンク送信に関連付けられた第２のコンポーネントキャリアのために構成された第２のｓＴＴＩに少なくとも部分的に基づき得、ここで、第２のｓＴＴＩは、第１のＴＴＩまたはｓＴＴＩより短い。換言すれば、第１のＴＴＩまたは第１のｓＴＴＩのうちのいずれのＴＴＩが、識別されたＨＡＲＱタイミングのために第１のコンポーネントキャリアの構成に関連付けられたとしても、第２のｓＴＴＩは、そのＴＴＩより短い。１４１０の動作は、本明細書で説明された方法に従って実行され得る。ある特定の例では、１４１０の動作の態様は、図５〜図８を参照して説明されたようなＨＡＲＱタイミング識別器によって実行され得る。
【０１４７】
[0156]１４１５において、ＵＥ１１５は、第１のＴＴＩまたはｓＴＴＩを使用して、第１のコンポーネントキャリア上でダウンリンク送信を受信し得る。換言すれば、第１のＴＴＩまたは第１のｓＴＴＩのうちのいずれのＴＴＩが、識別されたＨＡＲＱタイミングのために第１のコンポーネントキャリアの構成に関連付けられたとしても、ＵＥ１１５は、そのＴＴＩを使用して、第１のコンポーネントキャリア上でダウンリンク送信を受信し得る。１４１５の動作は、本明細書で説明された方法に従って実行され得る。ある特定の例では、１４１５の動作の態様は、図５〜図８を参照して説明されたような受信コンポーネントによって実行され得る。
【０１４８】
[0157]１４２０において、ＵＥ１１５は、識別されたＨＡＲＱタイミングに従って、ダウンリンク送信に対応するダウンリンクＨＡＲＱ  ＡＣＫ／ＮＡＣＫメッセージを送信し得る。１４２０の動作は、本明細書で説明された方法に従って実行され得る。ある特定の例では、１４２０の動作の態様は、図５〜図８を参照して説明されたようなＨＡＲＱ送信コンポーネントによって実行され得る。
【０１４９】
[0158]図１５は、本開示の態様による、ｓＴＴＩ動作におけるダウンリンクスループットの向上のためのキャリアアグリゲーションのための方法１５００を例示するフローチャートを示す。方法１５００の動作は、本明細書で説明されたようなＵＥ１１５またはそのコンポーネントによってインプリメントされ得る。例えば、方法１５００の動作は、図５〜図８を参照して説明されたようなＵＥ  ＨＡＲＱタイミングモジュールによって実行され得る。いくつかの例では、ＵＥ１１５は、以下で説明される機能を実行するために、デバイスの機能的な要素を制御するためのコードのセットを実行し得る。追加または代替として、ＵＥ１１５は、専用ハードウェアを使用して、以下で説明される機能の態様を実行し得る。
【０１５０】
[0159]１５０５において、ＵＥ１１５は、１つまたは複数のＵＥ能力のインジケーションを送信し得、ここで、ＨＡＲＱタイミングは、１つまたは複数のＵＥ能力に少なくとも部分的に基づく。１５０５の動作は、本明細書で説明された方法に従って実行され得る。ある特定の例では、１５０５の動作の態様は、図５〜図８を参照して説明されたようなＵＥ能力コンポーネントによって実行され得る。
【０１５１】
[0160]１５１０において、ＵＥ１１５は、ダウンリンク送信に関連付けられかつ第１のＴＴＩまたはｓＴＴＩを用いて構成された第１のコンポーネントキャリアのためのＨＡＲＱタイミングを識別し得る。第１のコンポーネントキャリアのためのＨＡＲＱタイミングは、ＵＥ能力と、アップリンク送信に関連付けられた第２のコンポーネントキャリアのために構成された第２のｓＴＴＩとに少なくとも部分的に基づき得、ここで、第２のｓＴＴＩは、第１のＴＴＩまたはｓＴＴＩより短い。換言すれば、第１のＴＴＩまたは第１のｓＴＴＩのうちのいずれのＴＴＩが、識別されたＨＡＲＱタイミングのために第１のコンポーネントキャリアの構成に関連付けられたとしても、第２のｓＴＴＩは、そのＴＴＩより短い。１５１０の動作は、本明細書で説明された方法に従って実行され得る。ある特定の例では、１５１０の動作の態様は、図５〜図８を参照して説明されたようなＨＡＲＱタイミング識別器によって実行され得る。
【０１５２】
[0161]１５１５において、ＵＥ１１５は、第１のＴＴＩまたはｓＴＴＩを使用して、第１のコンポーネントキャリア上でダウンリンク送信を受信し得る。換言すれば、第１のＴＴＩまたは第１のｓＴＴＩのうちのいずれのＴＴＩが、識別されたＨＡＲＱタイミングのために第１のコンポーネントキャリアの構成に関連付けられたとしても、ＵＥ１１５は、そのＴＴＩを使用して、第１のコンポーネントキャリア上でダウンリンク送信を受信し得る。１５１５の動作は、本明細書で説明された方法に従って実行され得る。ある特定の例では、１５１５の動作の態様は、図５〜図８を参照して説明されたような受信コンポーネントによって実行され得る。
【０１５３】
[0162]１５２０において、ＵＥ１１５は、識別されたＨＡＲＱタイミングに従って、ダウンリンク送信に対応するダウンリンクＨＡＲＱ  ＡＣＫ／ＮＡＣＫメッセージを送信し得る。１５２０の動作は、本明細書で説明された方法に従って実行され得る。ある特定の例では、１５２０の動作の態様は、図５〜図８を参照して説明されたようなＨＡＲＱ送信コンポーネントによって実行され得る。
【０１５４】
[0163]図１６は、本開示の態様による、ｓＴＴＩ動作におけるダウンリンクスループットの向上のためのキャリアアグリゲーションのための方法１６００を例示するフローチャートを示す。方法１６００の動作は、本明細書で説明されたような基地局１０５またはそのコンポーネントによってインプリメントされ得る。例えば、方法１６００の動作は、図９〜図１２を参照して説明されたような基地局ＨＡＲＱタイミングモジュールによって実行され得る。いくつかの例では、基地局１０５は、以下で説明される機能を実行するために、デバイスの機能的な要素を制御するためのコードのセットを実行し得る。追加または代替として、基地局１０５は、専用ハードウェアを使用して、以下で説明される機能の態様を実行し得る。
【０１５５】
[0164]１６０５において、基地局１０５は、ダウンリンク送信のための第１のＴＴＩまたはｓＴＴＩを用いて第１のコンポーネントキャリアを、およびアップリンク送信のための第２のｓＴＴＩを用いて第２のコンポーネントキャリアを構成し得、ここで、第２のｓＴＴＩは、第１のＴＴＩまたはｓＴＴＩより短い。換言すれば、第１のＴＴＩまたは第１のｓＴＴＩのうちのいずれのＴＴＩが基地局１０５によって第１のコンポーネントキャリアのために構成されたとしても、第２のコンポーネントキャリアのために構成された第２のｓＴＴＩは、そのＴＴＩよりも長さが短くなり得る。１６０５の動作は、本明細書で説明された方法に従って実行され得る。ある特定の例では、１６０５の動作の態様は、図９〜図１２を参照して説明されたような構成コンポーネントによって実行され得る。
【０１５６】
[0165]１６１０において、基地局１０５は、第２のコンポーネントキャリアのために構成された第２のｓＴＴＩに少なくとも部分的に基づいて、ダウンリンク送信に関連付けられかつ第１のコンポーネントキャリアのためのＨＡＲＱタイミングを識別し得る。１６１０の動作は、本明細書で説明された方法に従って実行され得る。ある特定の例では、１６１０の動作の態様は、図９〜図１２を参照して説明されたようなＨＡＲＱタイミング識別器によって実行され得る。
【０１５７】
[0166]１６１５において、基地局１０５は、第１のＴＴＩまたはｓＴＴＩを使用して、第１のコンポーネントキャリア上でダウンリンク送信を実行し得る。換言すれば、第１のＴＴＩまたは第１のｓＴＴＩのうちのいずれのＴＴＩが基地局１０５によって第１のコンポーネントキャリアのために構成されたとしても、基地局１０５は、そのＴＴＩを使用して第１のキャリア上でダウンリンク送信を実行し得る。１６１５の動作は、本明細書で説明された方法に従って実行され得る。ある特定の例では、１６１５の動作の態様は、図９〜図１２を参照して説明されたような送信コンポーネントによって実行され得る。
【０１５８】
[0167]１６２０において、基地局１０５は、識別されたＨＡＲＱタイミングに従って、ダウンリンク送信に対応するダウンリンクＨＡＲＱ  ＡＣＫ／ＮＡＣＫメッセージを受信し得る。１６２０の動作は、本明細書で説明された方法に従って実行され得る。ある特定の例では、１６２０の動作の態様は、図９〜図１２を参照して説明されたようなＨＡＲＱ  ＡＣＫ／ＮＡＣＫ受信コンポーネントによって実行され得る。
【０１５９】
[0168]上記で説明された方法は、可能なインプリメンテーションを説明しており、これら動作およびステップは、再構成または他の方法で修正され得、他のインプリメンテーションが可能であることに留意されたい。さらに、これら方法のうちの２つ以上からの態様が組み合わされ得る。
【０１６０】
[0169]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなどの、様々なワイヤレス通信システムのために使用され得る。ＣＤＭＡシステムは、ＣＤＭＡ２０００、ユニバーサル地上無線アクセス（ＵＴＲＡ）などのような無線技術をインプリメントし得る。ＣＤＭＡ２０００は、ＩＳ−２０００、ＩＳ−９５、およびＩＳ−８５６規格をカバーする。ＩＳ−２０００リリースは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他の変形を含む。ＴＤＭＡシステムは、モバイル通信のためのグローバルシステム（ＧＳＭ（登録商標））などの無線技術をインプリメントし得る。
【０１６１】
[0170]ＯＦＤＭＡシステムは、ウルトラモバイルブロードバンド（ＵＭＢ）、Ｅ−ＵＴＲＡ、米国電気電子学会（ＩＥＥＥ）８０２．１１（Ｗｉ−Ｆｉ）、ＩＥＥＥ８０２．１６（ＷｉＭＡＸ）、ＩＥＥＥ８０２．２０、フラッシュ−ＯＦＤＭなどのような無線技術をインプリメントし得る。ＵＴＲＡおよびＥ−ＵＴＲＡは、ユニバーサルモバイルテレコミュニケーションズシステム（ＵＭＴＳ）の一部である。ＬＴＥ、ＬＴＥ−Ａ、およびＬＴＥ−Ａ  Ｐｒｏは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＬＴＥ−Ａ  Ｐｒｏ、ＮＲ、およびＧＳＭは、「第３世代パートナーシッププロジェクト」（３ＧＰＰ（登録商標））という名称の団体からの文書に説明されている。ＣＤＭＡ２０００およびＵＭＢは、「第３世代パートナーシッププロジェクト２」（３ＧＰＰ２）という名称の団体からの文書に説明されている。本明細書で説明された技法は、上述されたシステムおよび無線技術、ならびに他のシステムおよび無線技術のために使用され得る。ＬＴＥ、ＬＴＥ−Ａ、ＬＴＥ−Ａ  Ｐｒｏ、またはＮＲシステムの態様が、例を目的として説明され得、ＬＴＥ、ＬＴＥ−Ａ、ＬＴＥ−Ａ  Ｐｒｏ、またはＮＲの専門用語が、説明の大部分において使用され得る一方で、本明細書で説明される技法は、ＬＴＥ、ＬＴＥ−Ａ、ＬＴＥ−Ａ  Ｐｒｏ、またはＮＲアプリケーションを超えて適用可能である。
【０１６２】
[0171]マクロセルは、一般に、比較的大きい地理的エリア（例えば、半径数キロメートル）をカバーし、ネットワークプロバイダにサービス加入しているＵＥ１１５による無制限のアクセスを可能にし得る。スモールセルは、マクロセルと比較して、より低電力の基地局１０５に関連付けられ得、スモールセルは、マクロセルと同じまたは異なる（例えば、ライセンス、アンライセンスなどの）周波数帯域で動作し得る。スモールセルは、様々な例に従って、ピコセル、フェムトセル、およびマイクロセルを含み得る。ピコセルは、例えば、小さい地理的エリアをカバーし得、ネットワークプロバイダにサービス加入しているＵＥ１１５による無制限のアクセスを可能にし得る。フェムトセルもまた、小さい地理的エリア（例えば、自宅）をカバーし得、フェムトセルとのアソシエーションを有するＵＥ１１５（例えば、限定加入者グループ（ＣＳＧ）中のＵＥ１１５、自宅内のユーザのためのＵＥ１１５など）による制限付きアクセスを提供し得る。マクロセルのためのｅＮＢは、マクロｅＮＢと呼ばれ得る。スモールセルのためのｅＮＢは、スモールセルｅＮＢ、ピコｅＮＢ、フェムトｅＮＢ、またはホームｅＮＢと呼ばれ得る。ｅＮＢは、１つまたは複数（例えば、２つ、３つ、４つなど）のセルをサポートし得、また、１つまたは複数のコンポーネントキャリアを使用して通信をサポートし得る。
【０１６３】
[0172]本明細書で説明されたワイヤレス通信システム１００または複数のシステムは、同期または非同期動作をサポートし得る。同期動作の場合、複数の基地局１０５は、同様のフレームタイミングを有し得、異なる基地局１０５からの送信は、ほぼ時間的に揃えられ得る。非同期動作の場合、複数の基地局１０５は、異なるフレームタイミングを有し得、異なる基地局１０５からの送信は、時間的に揃えられていない場合がある。本明細書で説明された技法は、同期または非同期動作のいずれかのために使用され得る。
【０１６４】
[0173]本明細書で説明された情報および信号は、様々な異なる技術および技法のうちの任意のものを使用して表され得る。例えば、上記説明の全体にわたって参照され得るデータ、命令、コマンド、情報、信号、ビット、シンボル、およびチップは、電圧、電流、電磁波、磁場または磁性粒子、光場または光粒子、あるいはこれらの任意の組合せによって表され得る。
【０１６５】
[0174]本明細書の開示に関連して説明された、様々な例示的なブロックおよびモジュールは、汎用プロセッサ、ＤＳＰ、ＡＳＩＣ、ＦＰＧＡまたは他のプログラマブルロジックデバイス（ＰＬＤ）、ディスクリートゲートまたはトランジスタロジック、ディスクリートハードウェアコンポーネント、あるいは本明細書で説明された機能を実行するように設計されたこれらの任意の組合せを用いてインプリメントまたは実行され得る。汎用プロセッサは、マイクロプロセッサであり得るが、代替として、このプロセッサは、任意の従来のプロセッサ、コントローラ、マイクロコントローラ、またはステートマシン（ｓtate machinｅ）であり得る。プロセッサはまた、コンピューティングデバイスの組合せ（例えば、ＤＳＰとマイクロプロセッサの組合せ、複数のマイクロプロセッサ、ＤＳＰコアと連携した１つまたは複数のマイクロプロセッサ、あるいはその他任意のそのような構成）としてインプリメントされ得る。
【０１６６】
[0175]本明細書で説明された機能は、ハードウェア、プロセッサによって実行されるソフトウェア、ファームウェア、またはこれらの任意の組合せでインプリメントされ得る。プロセッサによって実行されるソフトウェアでインプリメントされる場合、これら機能は、コンピュータ可読媒体上で、１つまたは複数の命令またはコードとして記憶または送信され得る。他の例およびインプリメンテーションは、添付の特許請求の範囲および本開示の範囲内にある。例えば、ソフトウェアの性質により、上記で説明された機能は、プロセッサ、ハードウェア、ファームウェア、ハードワイヤリング、またはこれらの任意の組合せによって実行されるソフトウェアを使用してインプリメントされ得る。機能をインプリメントする特徴はまた、様々な位置に物理的に位置し得、機能の部分が異なる物理的なロケーションにおいてインプリメントされるように分散されていることを含む。
【０１６７】
[0176]コンピュータ可読媒体は、１つの場所から別の場所へのコンピュータプログラムの転送を容易にする任意の媒体を含む通信媒体と非一時的なコンピュータ記憶媒体との両方を含む。非一時的な記憶媒体は、汎用または専用コンピュータによってアクセスされ得る任意の利用可能な媒体であり得る。限定ではなく例として、非一時的なコンピュータ可読媒体は、ＲＡＭ、ＲＯＭ、電気的消去可能プログラマブルＲＯＭ（ＥＥＰＲＯＭ（登録商標））、フラッシュメモリ、コンパクトディスク（ＣＤ）ＲＯＭまたは他の光ディスク記憶装置、磁気ディスク記憶装置または他の磁気記憶デバイス、あるいは、命令またはデータ構造の形で所望のプログラムコード手段を搬送または記憶するために使用され得、かつ、汎用または専用コンピュータ、あるいは汎用または専用プロセッサによってアクセスされ得る、その他任意の非一時的な媒体を含み得る。また、任意の接続は、厳密にはコンピュータ可読媒体と称される。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他の遠隔ソースから送信される場合には、同軸ケーブル、光ファイバーケーブル、ツイストペア、ＤＳＬ、または赤外線、無線、およびマイクロ波などのワイヤレス技術は、媒体の定義に含まれる。本明細書で使用される場合、ディスク（disk）およびディスク（disc）は、ＣＤ、レーザーディスク（登録商標）、光ディスク、デジタル多目的ディスク（ＤＶＤ）、フロッピー（登録商標）ディスクおよびブルーレイ（登録商標）ディスクを含み、ここでディスク（disks）は、通常磁気的にデータを再生し、一方ディスク（discs）は、レーザーを用いて光学的にデータを再生する。上記の組合せもまた、コンピュータ可読媒体の範囲内に含まれる。
【０１６８】
[0177]特許請求の範囲を含め、本明細書で使用される場合、項目の列挙（例えば、「〜のうちの少なくとも１つ」または「〜のうちの１つまたは複数」といった表現で始まる項目の列挙）中で使用される「または（or）」は、例えば、Ａ、Ｂ、またはＣのうちの少なくとも１つという列挙が、ＡまたはＢまたはＣまたはＡＢまたはＡＣまたはＢＣまたはＡＢＣ（すなわち、ＡおよびＢおよびＣ）を意味するような、包含的な列挙を示す。また、本明細書で使用される場合、「〜に基づいて」という表現は、条件の閉集合への参照として解釈されないものとする。例えば、「条件Ａに基づく」と説明された例示的なステップは、本開示の範囲から逸脱することなく、条件Ａと条件Ｂの両方に基づき得る。換言すれば、本明細書で使用される場合、「〜に基づく」という表現は、「〜に少なくとも部分的に基づく」という表現と同様に解釈されるものとする。
【０１６９】
[0178]添付の図面では、同様のコンポーネントまたは特徴は、同じ参照ラベルを有し得る。さらに、同じタイプの様々なコンポーネントは、参照ラベルの後に、ダッシュと、同様のコンポーネント同士を区別する第２のラベルとを続けることによって区別され得る。第１の参照ラベルのみが本明細書において使用される場合、その説明は、第２の参照ラベル、または他の後続の参照ラベルにかかわらず、同じ第１の参照ラベルを有する同様のコンポーネントのうちの任意の１つに適用可能である。
【０１７０】
[0179]添付の図面に関連して、本明細書に示された説明は、例となる構成を説明しており、インプリメントされ得るまたは特許請求の範囲内にある全ての例を表すものではない。本明細書で使用される「例示的（exemplary）」という用語は、「好ましい」または「他の例よりも有利である」ということではなく、「例、事例、または例示を提供する」を意味する。詳細な説明は、説明された技法の理解を提供することを目的とした特定の詳細を含む。しかしながら、これらの技法は、これらの特定の詳細なしで実施され得る。いくつかの事例では、周知の構造およびデバイスは、説明された例の概念を曖昧にすることを避けるために、ブロック図形式で示される。
【０１７１】
[0180]本明細書の説明は、当業者が本開示を製造または使用することを可能にするために提供された。本開示への様々な変更は、当業者には容易に明らかとなり、本明細書で定義した一般原理は、本開示の範囲から逸脱することなく、他の変形形態に適用され得る。したがって、本開示は、本明細書で説明された例および設計に限定されず、本明細書で開示された原理および新規の特徴に合致する最も広い範囲を与えられることとなる。
【図１】
2021507631.tif 000003
【図２】
2021507631.tif 000004
【図３】
2021507631.tif 000005
【図４】
2021507631.tif 000006
【図５】
2021507631.tif 000007
【図６】
2021507631.tif 000008
【図７】
2021507631.tif 000009
【図８】
2021507631.tif 000010
【図９】
2021507631.tif 000011
【図１０】
2021507631.tif 000012
【図１１】
2021507631.tif 000013
【図１２】
2021507631.tif 000014
【図１３】
2021507631.tif 000015
【図１４】
2021507631.tif 000016
【図１５】
2021507631.tif 000017
【図１６】
2021507631.tif 000018
【国際調査報告】
2021507631.tif 000019
2021507631.tif 000020
2021507631.tif 000021
2021507631.tif 000022